(57)【特許請求の範囲】
【請求項１】
複数の情報を保有する指令データと、前記各指令データを受信した場合に返送する応答データとを対応させて格納するデータベースを保有し、各伝送装置の動作状態を監視すると共に各伝送装置の動作状態を制御するシステム管理装置から通信路を経由して受信した前記指令データに対して前記応答データを返送する伝送装置を擬似する擬似装置において、
前記データベースに、前記各指令データに対応して付加情報を設定する受信データ対応情報設定手段と、
外部から前記指令データを受信した場合に、受信した指令データに対応して、前記データベースに設定済の付加情報を分析し、前記指令データの保有する複数の情報の分析する範囲を変更する受信データ分析範囲制御手段とを設けることを特徴とするデータベース制御方式。
【請求項２】
複数の情報を保有する指令データと、前記各指令データを受信した場合に返送する応答データとを対応させて格納するデータベースを保有し、各伝送装置の動作状態を監視すると共に各伝送装置の動作状態を制御するシステム管理装置から通信路を経由して受信した前記指令データに対して前記応答データを返送する伝送装置を擬似する擬似装置において、
前記データベースに、前記各応答データに対応して付加情報を設定する応答データ対応情報設定手段と、
外部から受信した前記指令データに対応する応答データを編集する場合に、編集する応答データに対応して、前記データベースに設定済の付加情報を分析し、前記応答データを組立てる複数の情報の収集方法を変更する応答制御手段とを設けることを特徴とするデータベース制御方式。
【請求項３】
前記応答制御手段は、受信した前記指令データが、対応して返送する応答データを組立てる所定の情報の変更を要求した場合に、該応答データに対応して前記データベースに設定済の付加情報の分析結果に基づき、前記応答データを組立てる所定の情報の変更要求を許容するか禁止するかを決定することを特徴とする請求項２記載のデータベース制御方式。
【発明の詳細な説明】
【０００１】
【発明の属する技術分野】
本発明は擬似装置におけるデータベース制御方式に関し、特に、複数の情報を保有する受信データと、前記各受信データを受信した場合に返送する応答データとを、対応させて格納するデータベースを保有する擬似装置におけるデータベース制御方式に関する。
【０００２】
【従来の技術】
図９は本発明の対象となる伝送システムを例示する図であり、図１０は従来ある擬似装置を例示する図であり、図１１は図１０における受信コマンドデータベースを例示する図であり、図１２は図１０における応答コマンドデータベースを例示する図であり、図１３は図１０における装置状態情報データベースを例示する図であり、図１４は図１０における追加ライブラリデータベースを例示する図であり、図１５は図１０における擬似処理を例示する図である。
【０００３】
図９に示される伝送システムは、一台のシステム管理装置１と、複数台の伝送装置２と、システム管理装置１および各伝送装置２を接続する通信路３とから構成されていると共に、擬似装置４が付加されている。
【０００４】
システム管理装置１は、通信路３を経由して各伝送装置２に所要のコマンド（Ｃ）を伝達し、各伝送装置２から返送される応答コマンド（Ｒ）を分析することにより、各伝送装置２の動作状態を監視すると共に、各伝送装置２の動作状態を制御する。
【０００５】
なおコマンド（Ｃ）は、コマンド名（ＣN ）と、２個のコマンドパラメータ（ＣP1）および（ＣP2）とを具備し、（ＣN ：ＣP1：ＣP2；）なる構成を有しており、また応答コマンド（Ｒ）も、応答コマンド名（ＲN ）と、２個の応答コマンドパラメータ（ＲP1）および（ＲP2）とを具備し、（ＲN ：ＲP1：ＲP2；）なる構成を有しているものとする。
【０００６】
なおコマンドパラメータ（ＣP1）、（ＣP2）および応答コマンドパラメータ（ＲP1）、（ＲP2）は、未設定の場合もあり得る。
【０００７】
擬似装置４は、システム管理装置１に対して各伝送装置２の動作状態を擬似するもので、システム管理装置１が通信路３を経由して擬似装置４に、伝送装置２に伝達すると同様のコマンド（Ｃ）を伝達した場合に、伝送装置２が返送したと同様の各種応答コマンド（Ｒ）を返送する。
【０００８】
従来ある擬似装置４は、図１０に示される如く、コマンド送受信制御部４１、コマンド解析／作成・データ更新制御部４２、主処理部４３、受信コマンドデータベース４４、応答コマンドデータベース４５、装置状態情報データベース４６および追加ライブラリデータベース４７を具備している。
【０００９】
受信コマンドデータベース４４〔略称ＤＢ44〕は、図１１に示される如く、システム管理装置１から通信路３を経由して伝達される各種コマンド（Ｃ）を構成するコマンド名（ＣN ）〔個々のコマンド名を（ｃN1）、（ｃN2）……と称する〕、コマンドパラメータ（ＣP1）〔個々のコマンドパラメータを（ｃP11 ）、（ｃP12 ）……と称する〕および（ＣP2）〔個々のコマンドパラメータを（ｃP21 ）、（ｃP22 ）……と称する〕と、システム管理装置１から当該コマンド（Ｃ）を受信した場合に、システム管理装置１に返送すべき応答コマンド（Ｒ）の応答コマンド名（ＲN ）〔個々の応答コマンドを（ｒ11）、（ｒ21）、（ｒ22）……と称する〕が、それぞれ格納されている。
【００１０】
なお、受信コマンドデータベース４４に格納されている個々のコマンド名（ｃN1）と、該コマンド名（ｃN1）に対応して格納されているコマンドパラメータ（ｃP11 ）、（ｃP21 ）と、応答コマンド（ｒ1 ）との集合を、データ（ｄ441 ）と総称する、以下同様。
【００１１】
また応答コマンドデータベース４５〔略称ＤＢ45〕は、図１２に示される如く、前述の各応答コマンド（Ｒ）を構成する応答コマンド名（ＲN ）および応答コマンドパラメータ（ＲP ）〔応答コマンドパラメータ（ＲP1）および（ＲP2）から構成〕と、コマンド（Ｃ）による指示に対する処理結果を示す応答結果（ＲA ）〔良好結果（ＯＫ）または不良結果（ＮＧ）〕と、コマンド（Ｃ）を受信してから当該応答コマンド（Ｒ）を返送する迄の時間間隔を示す応答コマンドタイマ（ＴR ）〔＝０、１、２……に対応して、それぞれ所定の時間間隔を定めて置く〕とが、それぞれ格納されている。
【００１２】
なお応答コマンドパラメータ（ＲP ）は、固定的な応答コマンドパラメータ値（ＲPV）である場合と、後述の装置状態情報データベース４６に設定される、可変的な応答コマンドパラメータ値（ＲPV）を検索可能なパラメータ値名（ＲPN）である場合と、後述の追加ライブラリデータベース４７に設定される、所定の条件に該当するパラメータ値（ＲPV）を生成するパラメータ値生成プログラム名（ＲPP）と、該パラメータ値生成プログラム名（ＲPP）を保有する追加ライブラリ名（Ｌ）とを検索可能なプログラム／ライブラリ索引名（ＲPPL ）である場合とが許容される。
【００１３】
また装置状態情報データベース４６〔略称ＤＢ46〕は、図１３に示される如く、前述のパラメータ値名（ＲPN）に対応して、可変的な応答コマンドパラメータ値（ＲPV）を、格納している。
【００１４】
更に追加ライブラリデータベース４７〔略称ＤＢ47〕は、図１４に示される如く、前述のプログラム／ライブラリ索引名（ＲPPL ）に対応して、所定の条件に該当するパラメータ値（ＲPV）を生成するパラメータ値生成プログラム名（ＲPP）と、該パラメータ値生成プログラム名（ＲPP）を保有する追加ライブラリ名（Ｌ）とを格納している。
【００１５】
主処理部４３は、擬似装置４を構成する各部を制御し、擬似装置４に関する基本的な処理を実行する。
【００１６】
コマンド送受信制御部４１は、主処理部４３の制御の下に、システム管理装置１から通信路３を経由して伝達される各種受信コマンドを受信してコマンド解析／作成・データ更新制御部４２に伝達し、またコマンド解析／作成・データ更新制御部４２から伝達される応答コマンドを、通信路３を経由してシステム管理装置１に返送する。
【００１７】
コマンド解析／作成・データ更新制御部４２は、主処理部４３の制御の下に、コマンド送受信制御部４１から伝達される受信コマンドを受信・解析し、図１５に示される如き擬似処理を実行し、また擬似処理の結果、システム管理装置１に返送すべき応答コマンドを作成し、コマンド送受信制御部４１に伝達する。
【００１８】
以下に、コマンド解析／作成・データ更新制御部４２の実行する擬似処理を、図９乃至図１５を用いて説明する。
【００１９】
図９乃至図１５において、システム管理装置１が、所定のコマンド（Ｃ）を、通信路３を経由して擬似装置４に対して送信する。
【００２０】
擬似装置４においては、コマンド送受信制御部４１が、通信路３から到着するコマンド（Ｃ）を受信すると、コマンド解析／作成・データ更新制御部４２に伝達する。
【００２１】
コマンド解析／作成・データ更新制御部４２は、コマンド送受信制御部４１から伝達されたコマンド（Ｃ）を受信・分析し、コマンド名（ＣN ）、コマンドパラメータ（ＣP1）および（ＣP2）を抽出する〔図１５、ステップＳ１１〕。
【００２２】
次にコマンド解析／作成・データ更新制御部４２は、受信コマンドデータベース４４を参照し、受信コマンド（Ｃ）から抽出したコマンド名（ＣN ）で検索し〔ステップＳ１２〕、コマンド名（ＣN ）を保有する一以上のデータ（ｄ44）の抽出に成功すると〔ステップＳ１３〕、続いて抽出したデータ（ｄ44）を、受信コマンド（Ｃ）から抽出したコマンドパラメータ（ＣP1）で検索し、更にコマンドパラメータ（ＣP1）を保有するデータ（ｄ44）を抽出した後〔ステップＳ１４〕、続いて抽出したデータ（ｄ44）を、受信コマンド（Ｃ）から抽出したコマンドパラメータ（ＣP2）で検索し、更にコマンドパラメータ（ＣP2）を保有するデータ（ｄ44）を抽出する〔ステップＳ１５〕。
【００２３】
次にコマンド解析／作成・データ更新制御部４２は、ステップＳ１３乃至Ｓ１５により抽出したデータ（ｄ44）の保有する応答コマンド名（ＲN ）を抽出する〔ステップＳ１６〕。
【００２４】
以上の過程で、コマンド解析／作成・データ更新制御部４２は、仮に受信したコマンド（Ｃ）にコマンドパラメータ（ＣP1）または（ＣP2）が存在しなくとも、存在しないコマンドパラメータ（ＣP1）または（ＣP2）で抽出した各データ（ｄ44）を検索し、データ（ｄ44）もコマンドパラメータ（ＣP1）または（ＣP2）を保有しないか否かを確認する。
【００２５】
次にコマンド解析／作成・データ更新制御部４２は、応答コマンドデータベース４５を参照し、データ（ｄ44）から抽出した応答コマンド名（ＲN ）で検索し〔ステップＳ１７〕、応答コマンド名（ＲN ）を保有するデータ（ｄ45）の抽出に成功すると〔ステップＳ１８〕、抽出したデータ（ｄ45）から、応答コマンドパラメータ（ＲP ）を抽出する〔ステップＳ１９〕。
【００２６】
なお応答コマンドパラメータ（ＲP ）は、前述の如く、固定的な応答コマンドパラメータ値（ＲPV）自体である場合と、装置状態情報データベース４６を検索して可変的な応答コマンドパラメータ値（ＲPV）を取得可能なパラメータ値名（ＲPN）である場合と、追加ライブラリデータベース４７を検索して、所定の応答コマンドパラメータ値（ＲPV）を生成可能なパラメータ値生成プログラム名（ＲPP）および追加ライブラリ名（Ｌ）を取得可能なプログラム／ライブラリ索引名（ＲPPL ）である場合とがある。
【００２７】
先ず応答コマンドパラメータ（ＲP ）が、数字で構成されているか否かを分析し、数字で構成されている場合には、応答コマンドパラメータ値（ＲPV）であると判定し、取得した応答コマンドパラメータ（ＲP ＝ＲPV）で直ちに応答コマンド（Ｒ）の作成に移行するが、応答コマンドパラメータ（ＲP ）が数字以外、例えば英字を含む場合には、応答コマンドパラメータ値（ＲPV）に付与されたパラメータ値（ＲPN）、または応答コマンドパラメータ値（ＲPV）を生成可能なパラメータ値生成プログラム名（ＲPP）および追加ライブラリ名（Ｌ）に付与されたプログラム／ライブラリ索引名（ＲPPL ）と判定し、装置状態情報データベース４６および追加ライブラリデータベース４７を参照して応答コマンドパラメータ（ＲP ＝）で検索する。
【００２８】
なお応答コマンドパラメータ（ＲP ）が装置状態情報データベース４６で応答コマンドパラメータ値（ＲPV）を検索するパラメータ値名（ＲPN）である場合にも、コマンド解析／作成・データ更新制御部４２は、必ず装置状態情報データベース４６および追加ライブラリデータベース４７を参照してパラメータ値名（ＲPN）で検索し、装置状態情報データベース４６からはパラメータ値名（ＲPN）に対応して格納済の応答コマンドパラメータ値（ＲPV）の検出に成功するが、追加ライブラリデータベース４７からはパラメータ値名（ＲPN）によるパラメータ値生成プログラム名（ＲPP）および追加ライブラリ名（Ｌ）の検出に不成功となることから、装置状態情報データベース４６から抽出した応答コマンドパラメータ値（ＲPV）を応答コマンドパラメータ（ＲP ）として取得する〔ステップＳ１Ｃ〕。
【００２９】
また応答コマンドパラメータ名（ＲPN）がプログラム／ライブラリ索引名（ＲPPL ）である場合にも、コマンド解析／作成・データ更新制御部４２は、必ず装置状態情報データベース４６および追加ライブラリデータベース４７を参照してプログラム／ライブラリ索引名（ＲPPL ）で検索し、追加ライブラリデータベース４７からはプログラム／ライブラリ索引名（ＲPPL ）に対応して格納済のパラメータ値生成プログラム名（ＲPP）および追加ライブラリ名（Ｌ）の検出に成功するが、装置状態情報データベース４６からは応答コマンドパラメータ値（ＲPV）の検出に不成功となることから、追加ライブラリデータベース４７から検出したパラメータ値生成プログラム名（ＲPP）および追加ライブラリ名（Ｌ）を取得し、追加ライブラリ名（Ｌ）を有するライブラリの保有するパラメータ値生成プログラム名（ＲPP）を有するプログラムを抽出して実行し、所要の応答コマンドパラメータ値（ＲPV）を作成する〔ステップＳ１Ｃ〕。
【００３０】
またコマンド（Ｃ）が、受信コマンドデータベース４４、応答コマンドデータベース４５、装置状態情報データベース４６および追加ライブラリデータベース４７の何れかに格納済のデータの変更を指示するものであった場合には、一意的に指示された変更を実行する。
【００３１】
なお以上の処理過程において、コマンド解析／作成・データ更新制御部４２が、受信コマンドデータベース４４をコマンド名（ＣN ）で検索した結果、コマンド名（ＣN ）を有するデータ（ｄ44）の検出に不成功の場合〔ステップＳ１３〕、または応答コマンドデータベース４５を応答コマンド名（ＲN ）で検索した結果、応答コマンド名（ＲN ）を有するデータ（ｄ45）の検出に不成功の場合〔ステップＳ１８〕、または応答コマンドデータベース４５からデータ（ｄ45）の検出には成功したが、装置状態情報データベース４６から応答コマンドパラメータ値（ＲPV）の検出に不成功の場合、または追加ライブラリデータベース４７からパラメータ値生成プログラム名（ＲPP）および追加ライブラリ名（Ｌ）の検出に不成功の場合には〔ステップＳ１Ｂ〕、何れも異常検出と見做し、主処理部４３に、または応答コマンド（Ｒ）を用いてシステム管理装置１に、異常通知を行う〔ステップＳ１Ｆ、Ｓ１Ｇ、またはＳ１Ｈ〕。
【００３２】
【発明が解決しようとする課題】
以上の説明から明らかな如く、従来ある擬似装置４においては、コマンド（Ｃ）は常に二個のコマンドパラメータ（ＣP1）および（ＣP2）を有するものとして存在しないコマンドパラメータ（ＣP1）または（ＣP2）に対しても検索処理を実行し、また応答コマンド（Ｒ）の具備する応答コマンドパラメータ（ＲP ）が如何なる種類のデータであるかを予め認識せず、総ての種類としての検索処理を実行する為、明らかに無効と想定される検索処理も無条件に実行する問題があった。
【００３３】
その他、新たな制御データまたは監視項目が増加した場合に、データベース（ＤＢ）自体に制御・監視項目を増加することは勿論であるが、データベース（ＤＢ）自体を操作しているコマンド解析／作成・データ更新制御部４２にも改造を加えなければならず、また異常事象を発生させる場合には、データベース（ＤＢ）制御部自体の正常性検査機能を無効にする必要があり、当該システム管理装置１の経済性、信頼性およひ操作性を損なう問題があった。
【００３４】
本発明は、当該擬似装置の経済性、信頼性および操作性を極力向上することを目的とする。
【００３５】
【課題を解決するための手段】
図１は本発明の原理図である。
【００３６】
図１において、１００は本発明の対象となる擬似装置である。
【００３７】
１０１は、本発明により擬似装置１００に設けられた受信データ対応情報設定手段である。
【００３８】
１０２は、本発明により擬似装置１００に設けられた受信データ分析範囲制御手段である。
【００３９】
１０３は、本発明により擬似装置１００に設けられた応答データ対応情報設定手段である。
【００４０】
１０４は、本発明により擬似装置１００に設けられた応答制御手段である。
【００４１】
擬似装置１００は、複数の情報を保有する指令データ（ＤC ）と、各指令データ（ＤC ）を受信した場合に返送する応答データ（ＤR ）とを、対応させて格納するデータベース（ＤＢ）を保有する。
【００４２】
受信データ対応情報設定手段１０１は、各指令データ（ＤC ）に対応して付加情報（ＤG ）をデータベース（ＤＢ）に設定する。
【００４３】
受信データ分析範囲制御手段１０２は、外部から指令データ（ＤC ）を受信した場合に、受信した指令データ（ＤC ）に対応して、データベース（ＤＢ）に設定済の付加情報（ＤG ）を分析し、指令データ（ＤC ）の保有する複数の情報の分析する範囲を変更する。〔以上、本発明（請求項１）関連〕
応答データ対応情報設定手段１０３は、各応答データ（ＤR ）に対応して付加情報（ＤG ）をデータベース（ＤＢ）に設定する。
【００４４】
応答制御手段１０４は、外部から受信した指令データ（ＤC ）に対応する応答データ（ＤR ）を編集する場合に、編集する応答データ（ＤR ）に対応して、データベース（ＤＢ）に設定済の付加情報（ＤG ）を分析し、応答データ（ＤR ）を組立てる複数の情報の収集方法を変更する。〔以上、本発明（請求項２）関連〕
なお応答制御手段１０４は、受信した指令データ（ＤC ）が、対応して返送する応答データ（ＤR ）を組立てる所定の情報の変更を要求した場合に、応答データ（ＤR ）に対応してデータベース（ＤＢ）に設定済の付加情報（ＤG ）の分析結果に基づき、応答データ（ＤR ）を組立てる所定の情報の変更要求を許容するか禁止するかを決定することが考慮される。〔本発明（請求項３）関連〕
従って、受信コマンドが保有するパラメータの、データベースを検索する際の利用範囲を指定し、また応答コマンドを作成する際のデータの操作範囲を指定することにより、受信パラメータ、応答パラメータ数が増加しても、従来と変わらぬ性能を維持可能とすると共に、追加データの発生時も柔軟に対応可能となり、更にデータベース制御部のデバッグを実行する際も容易に対応可能となり、当該擬似装置の経済性、信頼性およひ操作性を大幅に向上することが可能となる。
【００４５】
【発明の実施の形態】
以下、本発明の実施形態を図面により説明する。
【００４６】
図２は本発明の実施形態による擬似装置を示す図であり、図３は図２における受信コマンドデータベースを例示する図であり、図４は図２における応答コマンドデータベースを例示する図であり、図５は図２における装置状態情報データベースを例示する図であり、図６は図２における追加ライブラリデータベースを例示する図であり、図７は図２における擬似処理を例示する図であり、図８は図７におけるガイドエリア検索処理を例示する図である。なお、全図を通じて同一符号は同一対象物を示す。また対象とする伝送システムは、図９に示される通りとする。
【００４７】
図２においては、図１における擬似装置１００として擬似装置４が示され、また図１における受信データ対応情報設定手段１０１として受信コマンドデータベース４４A が設けられ、また図１における応答データ対応情報設定手段１０３として応答コマンドデータベース４５A および装置状態情報データベース４６A が設けられ、更に図１における受信データ分析範囲制御手段１０２および応答制御手段１０４として、図８に示される如きガイドエリア検索処理を実行するデータベースアクセス制御部４２B が設けられている。
【００４８】
受信コマンドデータベース４４A が、従来ある受信コマンドデータベース４４〔図１１参照〕と異なる点は、図３に示される如く、各データ（ｄ44）に、それぞれガイドエリア（Ｇ44A ）が追加されている。
【００４９】
なおガイドエリア（Ｇ44A ）は、或るデータの格納領域を示すものでは無く、後述の如き役割を果たすデータ自体を指す、以下同様。
〔以後ガイドエリア（Ｇ44A ）の追加された各データ（ｄ44）を、（ｄ44A ）と称する、以下同様〕
ガイドエリア（Ｇ44A ）は、各データ（ｄ44）に含まれるコマンド名（ＣN ）を保有するコマンド（Ｃ）を構成するコマンド名（ＣN ）、コマンドパラメータ（ＣP1）および（ＣP2）の内、参照する必要のある情報の範囲を指定することにより、不必要な情報または作成中の情報による不必要な検索を防止する役割を有し、図３においてはガイドエリア（ＣＣ）、（Ｐ１）および（Ｐ２）の三種類が示されている。
【００５０】
ガイドエリア（ＣＣ）はコマンド名（ＣN ）のみを参照し、コマンドパラメータ（ＣP1）および（ＣP2）は参照する必要の無いことを指定し、またガイドエリア（Ｐ１）は、コマンド名（ＣN ）およびコマンドパラメータ（ＣP1）を参照し、コマンドパラメータ（ＣP2）は参照する必要の無いことを指定し、更にガイドエリア（Ｐ２）は、コマンド名（ＣN ）、コマンドパラメータ（ＣP1）および（ＣP2）を総て参照する必要の有ることを指定する。
【００５１】
なおガイドエリア（Ｇ44A ）は、ガイドエリア（Ｐ２）が最優先に処理され、以下ガイドエリア（Ｐ１）、（ＣＣ）の順に優先処理されることと定められている。
【００５２】
また応答コマンドデータベース４５A が、従来ある応答コマンドデータベース４５〔図１２参照〕と異なる点は、図４に示される如く、各データ（ｄ45）に、それぞれガイドエリア（Ｇ45A ）が追加されている。
【００５３】
ガイドエリア（Ｇ45A ）は、各データ（ｄ45）に含まれる応答コマンドパラメータ（ＲP ）の種類〔または性格〕を指定することにより、応答コマンドパラメータ（ＲP ）の処理の適正化を図る役割を有し、図４においてはガイドエリア（ＲＲ）、（ＧＳ）および（ＧＰ）の三種類が示されている。
【００５４】
ガイドエリア（ＲＲ）は、応答コマンドパラメータ（ＲP ）として指定されるデータが、直接応答コマンド（Ｒ）の応答コマンドパラメータ値（ＲPV）を示す。なおガイドエリア（Ｇ45A ）がガイドエリア（ＲＲ）であり、且つ応答コマンドパラメータ（ＲP ）が未設定の場合には、応答コマンド（Ｒ）に応答コマンドパラメータ（ＲP ）が不要であることを意味する。
【００５５】
ガイドエリア（ＧＳ）は、応答コマンドパラメータ（ＲP ）として指定されるデータが、装置状態情報データベース４６A に格納されている応答コマンドパラメータ値（ＲPV）を示す応答コマンドパラメータ名（ＲPN）であることを示す。
【００５６】
ガイドエリア（ＧＰ）は、応答コマンドパラメータ（ＲP ）として指定されるデータが、追加ライブラリデータベース４７に格納されている追加ライブラリ名（Ｌ）および応答コマンドパラメータ作成プログラム（ＲPP）のプログラム名（ｒPPL ）を示す応答コマンドパラメータ名（ＲPN）であることを示す。
【００５７】
なおガイドエリア（Ｇ45A ）は、ガイドエリア（ＧＰ）が最優先に処理され、以下ガイドエリア（ＧＳ）、（ＲＲ）の順に優先処理されることと定められている。
【００５８】
また装置状態情報データベース４６A が、従来ある装置状態情報データベース４６〔図１３参照〕と異なる点は、図５に示される如く、各データ（ｄ46）に、それぞれガイドエリア（Ｇ46A ）が追加されている。
【００５９】
ガイドエリア（Ｇ46A ）は、各データ（ｄ46）に含まれる応答コマンドパラメータ値（ＲPV）に対する設定／変更を許容するか禁止するかを指定する役割を有し、図５においてはガイドエリア（ＲＷ）および（ＲＯ）の二種類が示されている。
【００６０】
ガイドエリア（ＲＷ）は、応答コマンドパラメータ値（ＲPV）として指定される値に対する設定／変更を許容することを示す。
【００６１】
ガイドエリア（ＲＯ）は、応答コマンドパラメータ値（ＲPV）として指定される値に対する設定／変更を禁止することを示す。
【００６２】
なおガイドエリア（Ｇ46A ）は、ガイドエリア（ＲＯ）が最優先に処理され、以下ガイドエリア（ＲＷ）の順に優先処理されることと定められている。
【００６３】
また図２に示される擬似装置４においては、従来あるコマンド解析／作成・データ更新制御部４２の代わりに、コマンド解析作成部４２A とデータベースアクセス制御部４２B とが設けられている。
【００６４】
コマンド解析作成部４２A は、従来あるコマンド解析／作成・データ更新制御部４２が実行していたと同様に、コマンド送受信制御部４１から伝達されたコマンド（Ｃ）の解析、並びにコマンド送受信制御部４１に伝達する応答コマンド（Ｒ）の作成を実行する。
【００６５】
またデータベースアクセス制御部４２B は、従来あるコマンド解析／作成・データ更新制御部４２が実行していた図１５に示される擬似処理と異なる、図７に示される擬似処理を実行すると共に、図８に示される如きガイドエリア検索処理を実行する。
【００６６】
図２乃至図９において、最初にシステム管理装置１が、データ値取得用のコマンド（Ｃ）としてコマンド名（ＣN ＝ｃN1）のみを保有するコマンド（Ｃ1 ）〔＝（ｃN1：：；）〕を、通信路３を経由して擬似装置４に送信したとする。
【００６７】
擬似装置４においては、コマンド送受信制御部４１が、通信路３から到着するコマンド（Ｃ1 ）を受信すると、コマンド解析作成部４２A に伝達する。
【００６８】
コマンド解析作成部４２A は、コマンド送受信制御部４１から伝達されたコマンド（Ｃ1 ）を受信・分析し、抽出したコマンド名（ｃN1）のみを、主処理部４３を介してデータベースアクセス制御部４２B に伝達する〔図７、ステップＳ２１〕。
【００６９】
データベースアクセス制御部４２B は、コマンド解析作成部４２A から伝達されたコマンド名（ｃN1）を受信すると、受信コマンドデータベース４４A を参照し、受信したコマンド名（ｃN1）で検索し〔ステップＳ２２〕、コマンド名（ｃN1）の検出に成功すると、コマンド名（ｃN1）を含む総てのデータ〔今回は（ｄ44A1）のみ〕を受信コマンドデータベース４４A から抽出した後〔ステップＳ２３〕、図８に示される如きガイドエリアによる検索処理を実行する〔ステップＳ２４〕。
【００７０】
先ずデータベースアクセス制御部４２B は、受信コマンドデータベース４４A から抽出済のデータ（ｄ44A1）の保有するガイドエリア（Ｇ44A1）を抽出する〔図８、ステップＳ３１〕。
【００７１】
次にデータベースアクセス制御部４２B は、抽出したガイドエリア（Ｇ44A1）が（Ｇ44A1＝Ｐ２）、（Ｇ44A1＝Ｐ１）および（Ｇ44A1＝ＣＣ）の何れであるかを分析し〔ステップＳ３２乃至Ｓ３４〕、今回は、（Ｇ44A1＝Ｐ２）でも、（Ｇ44A1＝Ｐ１）でも無く、（Ｇ44A1＝ＣＣ）であることを認識すると、受信したコマンド（Ｃ1 ）〔＝（ｃN1：：；）〕はコマンド名（ｃN1）のみを分析し、コマンドパラメータ（ＣP1）および（ＣP2）を分析する必要が無いことを認識し、コマンドパラメータ（ＣP1）および（ＣP2）による検索を行うこと無くガイドエリアによる検索処理を終了し、図７、ステップＳ２５へ復帰する〔ステップＳ３８〕。
【００７２】
次にデータベースアクセス制御部４２B は、受信コマンドデータベース４４A から抽出済のデータ（ｄ44A1）の保有する応答コマンド名（ＲN ＝ｒN11 ）を抽出する〔ステップＳ２５〕。
【００７３】
次にデータベースアクセス制御部４２B は、応答コマンドデータベース４５A を参照し、抽出済の応答コマンド名（ｒN11 ）で検索し〔ステップＳ２６〕、応答コマンド名（ｒN11 ）の検出に成功すると、応答コマンド名（ｒN11 ）を保有するデータ（ｄ45A1）を応答コマンドデータベース４５A から抽出し〔ステップＳ２７〕、続いて抽出したデータ（ｄ45A1）から応答結果（ＲA ＝ＯＫ）と応答コマンドタイマ（ＴR ＝０）とを抽出した後、図８に示される如きガイドエリアによる検索処理を実行する〔ステップＳ２８〕。
【００７４】
先ずデータベースアクセス制御部４２B は、応答コマンドデータベース４５A から抽出済のデータ（ｄ45A1）の保有するガイドエリア（Ｇ45A ）を抽出する〔図８、ステップＳ３１〕。
【００７５】
次にデータベースアクセス制御部４２B は、抽出したガイドエリア（Ｇ45A ）が（Ｇ45A ＝Ｐ２）、（Ｇ45A ＝Ｐ１）、（Ｇ45A ＝ＣＣ）、（Ｇ45A ＝ＧＰ）、（Ｇ45A ＝ＧＳ）および（Ｇ45A ＝ＲＲ）、の何れであるかを分析し〔ステップＳ３２乃至Ｓ３４、Ｓ４１乃至Ｓ４３〕、今回は、（Ｇ45A ＝Ｐ２）でも、（Ｇ45A ＝Ｐ１）でも、（Ｇ45A ＝ＣＣ）でも無く、また（Ｇ45A ＝ＧＰ）でも、（Ｇ45A ＝ＧＳ）でも無く、（Ｇ45A ＝ＲＲ）であることを認識すると〔ステップＳ４３〕、応答コマンドデータベース４５A から抽出済のデータ（ｄ45A1）の保有する応答コマンドパラメータ（ＲP ）が、直接応答コマンド（Ｒ1 ）の応答コマンドパラメータ値（ＲPV）であると認識し、データ（ｄ45A1）の保有する応答コマンドパラメータ（ＲP ＝ＲPV）の取得を試みるが〔ステップＳ４８〕、今回は、データ（ｄ45A1）に応答コマンドパラメータ（ＲP ）が設定されていないことを識別すると、応答コマンド（Ｒ1 ）に応答コマンドパラメータ（ＲP ）が不要であると認識し、装置状態情報データベース４６A および追加ライブラリデータベース４７の検索処理を行うこと無くガイドエリアによる検索処理を終了し、図７、ステップＳ２Ｈへ復帰する〔ステップＳ４９〕。
【００７６】
次にデータベースアクセス制御部４２B は、データ（ｄ45A1）から抽出済の応答結果（ＲA ＝ＯＫ）と応答コマンドタイマ（ＴR ＝０）とを、主処理部４３を介してコマンド解析作成部４２A に返送し、応答結果（ＲA ＝ＯＫ）のみを保有し、その他の応答コマンドパラメータ（ＲP1）および（ＲP2）を保有しない応答コマンド（Ｒ1 ）〔＝（ＲA ：：；）〕の作成と、応答コマンドタイマ（ＴR ＝０）により定まる時間間隔を置いての返送とを指示する。
【００７７】
コマンド解析作成部４２A は、データベースアクセス制御部４２B から伝達された応答結果（ＲA ＝ＯＫ）と、応答コマンドタイマ（ＴR ＝０）と、応答コマンド（Ｒ1 ）〔＝（ＲA ：：；）〕の作成指示とを受信すると、受信した応答結果（ＲA ＝ＯＫ）を用いて指示された応答コマンド（Ｒ1 ）〔＝（ＯＫ：：；）〕を作成し〔ステップＳ２Ｈ〕、コマンド（Ｃ1 ）を受信した時点から、応答コマンドタイマ（ＴR ＝０）により定まる時間間隔を置いた後、コマンド送受信制御部４１へ返送する〔ステップＳ２Ｉ〕。
【００７８】
コマンド送受信制御部４１は、コマンド解析作成部４２A から返送された応答コマンド（Ｒ1 ）〔＝（ＯＫ：：；）〕を、通信路３を経由してシステム管理装置１へ返送する。
【００７９】
システム管理装置１は、擬似装置４から返送された応答コマンド（Ｒ1 ）〔＝（ＯＫ：：；）〕を受信・分析し、所定の動作完了後、次のアクションに移行する。
【００８０】
次に、システム管理装置１が、データ値取得用のコマンド（Ｃ）としてコマンド名（ＣN ＝ｃN2）と、コマンドパラメータ（ＣP1＝ｃP11 ）とを保有するコマンド（Ｃ2 ）〔＝（ｃN2：ｃP11 ：；）〕を、通信路３を経由して擬似装置４に送信したとする。
【００８１】
擬似装置４においては、コマンド送受信制御部４１が、通信路３から到着するコマンド（Ｃ2 ）を受信すると、コマンド解析作成部４２A に伝達する。
【００８２】
コマンド解析作成部４２A は、コマンド送受信制御部４１から伝達されたコマンド（Ｃ2 ）を受信・分析し、抽出したコマンド名（ｃN2）と、コマンドパラメータ（ｃP11 ）とを、主処理部４３を介してデータベースアクセス制御部４２B に伝達する〔図７、ステップＳ２１〕。
【００８３】
データベースアクセス制御部４２B は、コマンド解析作成部４２A から伝達されたコマンド名（ｃN2）とコマンドパラメータ（ｃP11 ）とを受信すると、受信コマンドデータベース４４A を参照し、受信したコマンド名（ｃN2）で検索し〔ステップＳ２２〕、コマンド名（ｃN2）の検出に成功すると、コマンド名（ＣN ＝ｃN2）を保有する総てのデータ（ｄ44A2）、（ｄ44A3）および（ｄ44A4）を受信コマンドデータベース４４A から抽出した後〔ステップＳ２３〕、図８に示される如きガイドエリアによる検索処理を実行する〔ステップＳ２４〕。
【００８４】
先ずデータベースアクセス制御部４２B は、受信コマンドデータベース４４A から抽出済の総てのデータ（ｄ44A2）、（ｄ44A3）および（ｄ44A4）の保有するガイドエリア（Ｇ44A ）を、それぞれ抽出する〔図８、ステップＳ３１〕。
【００８５】
次にデータベースアクセス制御部４２B は、抽出した各ガイドエリア（Ｇ44A ）が、（Ｇ44A ＝Ｐ２）、（Ｇ44A ＝Ｐ１）および（Ｇ44A ＝ＣＣ）の何れであるかを分析し〔ステップＳ３２乃至Ｓ３４〕、データ（ｄ44A2）および（ｄ44A3）から抽出されたガイドエリア（Ｇ44A ）がそれぞれ（Ｐ１）であり〔ステップＳ３３〕、受信コマンド（Ｃ2 ）のコマンド名（ＣN ）およびコマンドパラメータ（ＣP1）は分析する必要があるが、コマンドパラメータ（ＣP2）は分析する必要が無いと認識し、またデータ（ｄ44A4）から抽出されたガイドエリア（Ｇ44A ）が（Ｐ２）であり〔ステップＳ３２〕、受信コマンド（Ｃ2 ）のコマンド名（ＣN ）、コマンドパラメータ（ＣP1）および（ＣP2）を分析する必要があることを認識する。
【００８６】
かかる場合にデータベースアクセス制御部４２B は、ガイドエリア（Ｇ44A ）に指定の優先処理順位に従い、最初にガイドエリア（Ｇ44A ＝Ｐ２）であるデータ（ｄ44A4）の保有するコマンドパラメータ（ＣP1）を、コマンド解析作成部４２A から受信したコマンドパラメータ（ｃP11 ）で検索するが、データ（ｄ44A4）の保有するコマンドパラメータ（ＣP1）は（ｃP12 ）である為、受信コマンドパラメータ（ｃP11 ）による検索は不成功に終わる〔ステップＳ３５〕。
【００８７】
かかる場合にデータベースアクセス制御部４２B は、次優先順位のガイドエリア（Ｇ44A ＝Ｐ１）を有するデータ（ｄ44A2）および（ｄ44A3）の保有する各コマンドパラメータ（ＣP1）を、コマンド解析作成部４２A から受信したコマンドパラメータ（ｃP11 ）でそれぞれ検索した結果、データ（ｄ44A2）の保有するコマンドパラメータ（ＣP1）は（ｃP11 ）である為、受信コマンドパラメータ（ｃP11 ）による検索は成功するが、データ（ｄ44A3）の保有するコマンドパラメータ（ＣP1）は（ｃP12 ）である為、受信コマンドパラメータ（ｃP11 ）による検索は不成功に終わる〔ステップＳ３７〕。
【００８８】
以上でデータベースアクセス制御部４２B は、抽出済のデータ（ｄ44A2）、（ｄ44A3）および（ｄ44A4）の内、データ（ｄ44A2）のみがガイドエリア（Ｇ44A ＝Ｐ１）により指定されるコマンド名（ｃN2）およびコマンドパラメータ（ｃP11 ）による検索に成功したと認識し、ガイドエリアによる検索処理を終了し、図７、ステップＳ２５へ復帰する〔ステップＳ３８〕。
【００８９】
次にデータベースアクセス制御部４２B は、受信コマンドデータベース４４A から抽出済のデータ（ｄ44A2）の保有する応答コマンド名（ＲN ＝ｒN21 ）を抽出する〔ステップＳ２５〕。
【００９０】
次にデータベースアクセス制御部４２B は、応答コマンドデータベース４５A を参照し、データ（ｄ44A2）から抽出済の応答コマンド名（ｒN21 ）で検索し〔ステップＳ２６〕、応答コマンド名（ｒN21 ）の検出に成功すると、応答コマンド名（ｒN21 ）を保有するデータ（ｄ45A2）を応答コマンドデータベース４５A から抽出し〔ステップＳ２７〕、続いて抽出したデータ（ｄ45A2）の保有する応答結果（ＲA ＝ＯＫ）と応答コマンドタイマ（ＴR ＝０）とを抽出した後、図８に示される如きガイドエリアによる検索処理を実行する〔ステップＳ２８〕。
【００９１】
先ずデータベースアクセス制御部４２B は、応答コマンドデータベース４５A から抽出済のデータ（ｄ45A2）の保有するガイドエリア（Ｇ45A ）を抽出する〔図８、ステップＳ３１〕。
【００９２】
次にデータベースアクセス制御部４２B は、抽出したガイドエリア（Ｇ45A ）が（Ｇ45A ＝Ｐ２）、（Ｇ45A ＝Ｐ１）、（Ｇ45A ＝ＣＣ）、（Ｇ45A ＝ＧＰ）、（Ｇ45A ＝ＧＳ）および（Ｇ45A ＝ＲＲ）の何れであるかを分析し〔ステップＳ３２乃至Ｓ３４、Ｓ４１乃至Ｓ４３〕、今回は、（Ｇ45A ＝Ｐ２）でも、（Ｇ45A ＝Ｐ１）でも、（Ｇ45A ＝ＣＣ）でも無く、また（Ｇ45A ＝ＧＰ）でも無く、（Ｇ45A ＝ＧＳ）であることを認識すると〔ステップＳ４２〕、応答コマンドデータベース４５A から抽出済のデータ（ｄ45A2）の保有する応答コマンドパラメータ（ＲP ）が、装置状態情報データベース４６A に格納されている応答コマンドパラメータ値（ＲPV）を示すパラメータ値名（ＲPN）であると認識し、抽出済のデータ（ｄ45A2）の保有する応答コマンドパラメータ（ＲP ）〔応答コマンドパラメータ（ＲP1）のみ〕をパラメータ値名（ＲPN＝ｒPN1 ）として抽出した後〔ステップＳ４６〕、追加ライブラリデータベース４７の検索処理を行うこと無くガイドエリアによる検索処理を終了し、図７、ステップＳ２Ｄへ復帰する〔ステップＳ４７〕。
【００９３】
次にデータベースアクセス制御部４２B は、装置状態情報データベース４６A を参照し、データ（ｄ45A2）から抽出済のパラメータ値名（ｒPN1 ）で検索し〔図７、ステップＳ２Ｄ〕、パラメータ値名（ｒPN1 ）の検出に成功すると、パラメータ値名（ｒPN1 ）を保有するデータ（ｄ46A1）を装置状態情報データベース４６A から抽出した後〔ステップＳ２Ｅ〕、図８に示される如きガイドエリアによる検索処理を実行する〔ステップＳ２Ｆ〕。
【００９４】
先ずデータベースアクセス制御部４２B は、装置状態情報データベース４６A から抽出済のデータ（ｄ46A1）の保有するガイドエリア（Ｇ46A ）を抽出する〔図８、ステップＳ３１〕。
【００９５】
次にデータベースアクセス制御部４２B は、抽出したガイドエリア（Ｇ46A ）が、（Ｇ46A ＝Ｐ２）、（Ｇ46A ＝Ｐ１）、（Ｇ46A ＝ＣＣ）、（Ｇ46A ＝ＧＰ）、（Ｇ46A ＝ＧＳ）、（Ｇ46A ＝ＲＲ）、（Ｇ46A ＝ＲＯ）および（Ｇ46A ＝ＲＷ）の何れであるかを分析し〔ステップＳ３２乃至Ｓ３４、Ｓ４１乃至Ｓ４３、Ｓ５１およびＳ５２〕、今回は、（Ｇ46A ＝Ｐ２）でも、（Ｇ46A ＝Ｐ１）でも、（Ｇ46A ＝ＣＣ）でも無く、また（Ｇ46A ＝ＧＰ）でも、（Ｇ46A ＝ＧＳ）でも、（Ｇ46A ＝ＲＲ）でも無く、また（Ｇ46A ＝ＲＯ）でも無く、（Ｇ46A ＝ＲＷ）であることを認識すると〔ステップＳ５２〕、データ（ｄ46A1）の保有する応答コマンドパラメータ値（ＲPV）に対する設定／変更を許容すると認識した後、追加ライブラリデータベース４７の検索処理を行うこと無くガイドエリアによる検索処理を終了し、図７、ステップＳ２Ｇへ復帰する〔ステップＳ５４〕。
【００９６】
次にデータベースアクセス制御部４２B は、装置状態情報データベース４６A から抽出済のデータ（ｄ46A1）の保有する応答コマンドパラメータ値（ＲPV＝１０００）を、パラメータ値名（ｒPN1 ）により定まる応答コマンドパラメータ（ＲP1）として取得し〔図７、ステップＳ２Ｇ〕、データ（ｄ45A2）から抽出済の応答結果（ＲA ＝ＯＫ）と応答コマンドタイマ（ＴR ＝０）と共に、主処理部４３を介してコマンド解析作成部４２A に返送し、応答結果（ＲA ＝ＯＫ）と、応答コマンドパラメータ（ＲP1＝１０００）とを保有し、応答コマンドパラメータ（ＲP2）を保有しない応答コマンド（Ｒ2 ）〔＝（ＲA ：ＲP1：；）〕の作成と、応答コマンドタイマ（ＴR ＝０）により定まる時間間隔を置いての返送とを指示する。
【００９７】
コマンド解析作成部４２A は、データベースアクセス制御部４２B から伝達された応答結果（ＲA ＝ＯＫ）と、応答コマンドパラメータ（ＲP1＝１０００）と、応答コマンドタイマ（ＴR ＝０）と、応答コマンド（Ｒ2 ）〔＝（ＲA ：ＲP1：；）〕の作成指示とを受信すると、受信した応答結果（ＲA ＝ＯＫ）と、応答コマンドパラメータ（ＲP1＝１０００）とを用いて指示された応答コマンド（Ｒ2 ）〔＝（ＯＫ：１０００：；）〕を作成し、コマンド（Ｃ2 ）を受信した時点から、応答コマンドタイマ（ＴR ＝０）により定まる時間間隔を置いた後、コマンド送受信制御部４１へ返送する〔ステップＳ２Ｉ〕。
【００９８】
コマンド送受信制御部４１は、コマンド解析作成部４２A から返送された応答コマンド（Ｒ2 ）〔＝（ＯＫ：１０００：；）〕を、通信路３を経由してシステム管理装置１へ返送する。
【００９９】
システム管理装置１は、擬似装置４から返送された応答コマンド（Ｒ2 ）〔＝（ＯＫ：１０００：；）〕を受信・分析し、所定の動作完了後、次のアクションに移行する。
【０１００】
次に、システム管理装置１が、データ値取得用のコマンド（Ｃ）としてコマンド名（ＣN ＝ｃN2）と、コマンドパラメータ（ＣP1＝ｃP12 ）とを保有するコマンド（Ｃ3 ）〔＝（ｃN2：ｃP12 ：；）〕を、通信路３を経由して擬似装置４に送信したとする。
【０１０１】
擬似装置４においては、コマンド送受信制御部４１が、通信路３から到着するコマンド（Ｃ3 ）を受信すると、コマンド解析作成部４２A に伝達する。
【０１０２】
コマンド解析作成部４２A は、コマンド送受信制御部４１から伝達されたコマンド（Ｃ3 ）を受信・分析し、抽出したコマンド名（ｃN2）と、コマンドパラメータ（ｃP12 ）とを、主処理部４３を介してデータベースアクセス制御部４２B に伝達する〔図７、ステップＳ２１〕。
【０１０３】
データベースアクセス制御部４２B は、コマンド解析作成部４２A から伝達されたコマンド名（ｃN2）とコマンドパラメータ（ｃP12 ）とを受信すると、受信コマンドデータベース４４A を参照し、受信したコマンド名（ｃN2）で検索し〔ステップＳ２２〕、コマンド名（ｃN2）の検出に成功すると、コマンド名（ｃN2）を保有する総てのデータ（ｄ44A2）、（ｄ44A3）および（ｄ44A4）を受信コマンドデータベース４４A から抽出した後〔ステップＳ２３〕、図８に示される如きガイドエリアによる検索処理を実行する〔ステップＳ２４〕。
【０１０４】
先ずデータベースアクセス制御部４２B は、受信コマンドデータベース４４A から抽出済の総てのデータ（ｄ44A2）、（ｄ44A3）および（ｄ44A4）の保有するガイドエリア（Ｇ44A ）を、それぞれ抽出する〔図８、ステップＳ３１〕。
【０１０５】
次にデータベースアクセス制御部４２B は、抽出した各ガイドエリア（Ｇ44A ）が、（Ｇ44A ＝Ｐ２）、（Ｇ44A ＝Ｐ１）および（Ｇ44A ＝ＣＣ）の何れであるかを分析し〔ステップＳ３２乃至Ｓ３４〕、データ（ｄ44A2）および（ｄ44A3）から抽出されたガイドエリア（Ｇ44A ）がそれぞれ（Ｐ１）であり〔ステップＳ３３〕、受信コマンド（Ｃ3 ）のコマンド名（ＣN ）およびコマンドパラメータ（ＣP1）は分析する必要があるが、コマンドパラメータ（ＣP2）は分析する必要が無いと認識し、またデータ（ｄ44A4）から抽出されたガイドエリア（Ｇ44A ）が（Ｐ２）であり〔ステップＳ３２〕、受信コマンド（Ｃ2 ）のコマンド名（ＣN ）、コマンドパラメータ（ＣP1）および（ＣP2）を分析する必要があることを認識する。
【０１０６】
かかる場合にデータベースアクセス制御部４２B は、ガイドエリア（Ｇ44A ）に指定の優先処理順位に従い、最初にガイドエリア（Ｇ44A ＝Ｐ２）であるデータ（ｄ44A4）の保有するコマンドパラメータ（ＣP1）を、コマンド解析作成部４２A から受信したコマンドパラメータ（ｃP12 ）で検索した結果、データ（ｄ44A4）に含まれるコマンドパラメータ（ＣP1）は（ｃP12 ）である為、コマンドパラメータ（ｃP12 ）による検索に成功すると、次にデータ（ｄ44A4）の保有するコマンドパラメータ（ＣP2）を、コマンド解析作成部４２A から受信したコマンドパラメータ（ＣP2）で検索を試みるが、受信コマンド（Ｃ3 ）にはコマンドパラメータ（ＣP2）が未設定であり、コマンド解析作成部４２A からコマンドパラメータ（ＣP2）を受信していない為、コマンドパラメータ（ｃP21 ）の検索は不成功に終わる〔ステップＳ３５およびＳ３６〕。
【０１０７】
かかる場合にデータベースアクセス制御部４２B は、次優先順位のガイドエリア（Ｇ44A ＝Ｐ１）を有するデータ（ｄ44A2）および（ｄ44A3）の保有する各コマンドパラメータ（ＣP1）を、コマンド解析作成部４２A から受信したコマンドパラメータ（ｃP12 ）でそれぞれ検索した結果、データ（ｄ44A2）の保有するコマンドパラメータ（ＣP1）は（ｃP11 ）である為、コマンドパラメータ（ｃP12 ）による検索は不成功に終わるが、データ（ｄ44A3）の保有するコマンドパラメータ（ＣP1）は（ｃP12 ）である為、コマンドパラメータ（ｃP12 ）による検索は成功する〔ステップＳ３７〕。
【０１０８】
以上でデータベースアクセス制御部４２B は、抽出済のデータ（ｄ44A2）、（ｄ44A3）および（ｄ44A4）の内、データ（ｄ44A3）のみがガイドエリア（Ｇ44A ＝Ｐ１）により指定されるコマンド名（ｃN2）およびコマンドパラメータ（ｃP12 ）による検索に成功したと認識し、ガイドエリアによる検索処理を終了し、図７、ステップＳ２５へ復帰する〔ステップＳ３８〕。
【０１０９】
次にデータベースアクセス制御部４２B は、受信コマンドデータベース４４A から抽出済のデータ（ｄ44A3）の保有する応答コマンド名（ＲN ＝ｒN22 ）を抽出する〔ステップＳ２５〕。
【０１１０】
次にデータベースアクセス制御部４２B は、応答コマンドデータベース４５A を参照し、抽出済の応答コマンド名（ｒN22 ）で検索し〔ステップＳ２６〕、応答コマンド名（ｒN22 ）の検出に成功すると、応答コマンド名（ｒN22 ）を保有するデータ（ｄ45A3）を応答コマンドデータベース４５A から抽出し〔ステップＳ２７〕、続いて抽出したデータ（ｄ45A3）の保有する応答結果（ＲA ＝ＮＧ）と応答コマンドタイマ（ＴR ＝１）とを抽出した後、図８に示される如きガイドエリアによる検索処理を実行する〔ステップＳ２８〕。
【０１１１】
先ずデータベースアクセス制御部４２B は、応答コマンドデータベース４５A から抽出済のデータ（ｄ45A3）の保有するガイドエリア（Ｇ45A ）を抽出する〔図８、ステップＳ３１〕。
【０１１２】
次にデータベースアクセス制御部４２B は、抽出したガイドエリア（Ｇ45A ）が（Ｇ45A ＝Ｐ２）、（Ｇ45A ＝Ｐ１）、（Ｇ45A ＝ＣＣ）、（Ｇ45A ＝ＧＰ）、（Ｇ45A ＝ＧＳ）および（Ｇ45A ＝ＲＲ）の何れであるかを分析し〔ステップＳ３２乃至Ｓ３４、Ｓ４１乃至Ｓ４３〕、今回は、（Ｇ45A ＝Ｐ２）でも、（Ｇ45A ＝Ｐ１）でも、（Ｇ45A ＝ＣＣ）でも無く、また（Ｇ45A ＝ＧＰ）でも無く、（Ｇ45A ＝ＧＳ）であることを認識すると〔ステップＳ４２〕、応答コマンドデータベース４５A から抽出済のデータ（ｄ45A3）の保有する応答コマンドパラメータ（ＲP ）が、装置状態情報データベース４６A に格納されている応答コマンドパラメータ値（ＲPV）を示すパラメータ値名（ＲPN）であると認識し、抽出済のデータ（ｄ45A3）の保有する応答コマンドパラメータ（ＲP ）〔応答コマンドパラメータ（ＲP1）のみ〕をパラメータ値名（ＲPN＝ｒPN2 ）として抽出した後〔ステップＳ４６〕、追加ライブラリデータベース４７の検索処理を行うこと無くガイドエリアによる検索処理を終了し、図７、ステップＳ２Ｄへ復帰する〔ステップＳ４７〕。
【０１１３】
次にデータベースアクセス制御部４２B は、装置状態情報データベース４６A を参照し、データ（ｄ45A3）から抽出済のパラメータ値名（ｒPN2 ）で検索し〔図７、ステップＳ２Ｄ〕、パラメータ値名（ｒPN2 ）の検出に成功すると、パラメータ値名（ｒPN2 ）を保有するデータ（ｄ46A2）を装置状態情報データベース４６A から抽出した後〔ステップＳ２Ｅ〕、図８に示される如きガイドエリアによる検索処理を実行する〔ステップＳ２Ｆ〕。
【０１１４】
先ずデータベースアクセス制御部４２B は、装置状態情報データベース４６A から抽出済のデータ（ｄ46A2）の保有するガイドエリア（Ｇ46A ）を抽出する〔図８、ステップＳ３１〕。
【０１１５】
次にデータベースアクセス制御部４２B は、抽出したガイドエリア（Ｇ46A ）が、（Ｇ46A ＝Ｐ２）、（Ｇ46A ＝Ｐ１）、（Ｇ46A ＝ＣＣ）、（Ｇ46A ＝ＧＰ）、（Ｇ46A ＝ＧＳ）、（Ｇ46A ＝ＲＲ）、（Ｇ46A ＝ＲＯ）および（Ｇ46A ＝ＲＷ）の何れであるかを分析し〔ステップＳ３２乃至Ｓ３４、Ｓ４１乃至Ｓ４３、Ｓ５１およびＳ５２〕、今回は、（Ｇ46A ＝Ｐ２）でも、（Ｇ46A ＝Ｐ１）でも、（Ｇ46A ＝ＣＣ）でも無く、また（Ｇ46A ＝ＧＰ）でも、（Ｇ46A ＝ＧＳ）でも、（Ｇ46A ＝ＲＲ）でも無く、また（Ｇ46A ＝ＲＯ）でも無く、（Ｇ46A ＝ＲＷ）であることを認識すると〔ステップＳ５２〕、データ（ｄ46A2）の保有する応答コマンドパラメータ値（ＲPV）に対する設定／変更を許容すると認識した後、追加ライブラリデータベース４７の検索処理を行うこと無くガイドエリアによる検索処理を終了し、図７、ステップＳ２Ｇへ復帰する〔ステップＳ５４〕。
【０１１６】
次にデータベースアクセス制御部４２B は、装置状態情報データベース４６A から抽出済のデータ（ｄ46A2）の保有する応答コマンドパラメータ値（ＲPV＝１０１０）を、パラメータ値名（ｒPN2 ）により定まる応答コマンドパラメータ（ＲP1）として取得し〔図７、ステップＳ２Ｇ〕、データ（ｄ45A3）から抽出済の応答結果（ＲA ＝ＮＧ）と応答コマンドタイマ（ＴR ＝１）と共に、主処理部４３を介してコマンド解析作成部４２A に返送し、応答結果（ＲA ＝ＮＧ）と、応答コマンドパラメータ（ＲP1＝１０１０）とを保有し、応答コマンドパラメータ（ＲP2）を保有しない応答コマンド（Ｒ3 ）〔＝（ＲA ：ＲP1：；）〕の作成と、応答コマンドタイマ（ＴR ＝１）により定まる時間間隔を置いての返送とを指示する。
【０１１７】
コマンド解析作成部４２A は、データベースアクセス制御部４２B から伝達された応答結果（ＲA ＝ＮＧ）と、応答コマンドパラメータ（ＲP1＝１０１０）と、応答コマンドタイマ（ＴR ＝１）と、応答コマンド（Ｒ3 ）〔＝（ＲA ：ＲP1：；）〕の作成指示とを受信すると、受信した応答結果（ＲA ＝ＮＧ）と、応答コマンドパラメータ（ＲP1＝１０１０）とを用いて指示された応答コマンド（Ｒ3 ）〔＝（ＮＧ：１０１０：；）〕を作成し、コマンド（Ｃ3 ）を受信した時点から、応答コマンドタイマ（ＴR ＝１）により定まる時間間隔を置いた後、コマンド送受信制御部４１へ返送する〔ステップＳ２Ｉ〕。
【０１１８】
コマンド送受信制御部４１は、コマンド解析作成部４２A から返送された応答コマンド（Ｒ3 ）〔＝（ＮＧ：１０１０：；）〕を、通信路３を経由してシステム管理装置１へ返送する。
【０１１９】
システム管理装置１は、擬似装置４から返送された応答コマンド（Ｒ3 ）〔＝（ＮＧ：１０１０：；）〕を受信・分析し、所定の動作完了後、次のアクションに移行する。
【０１２０】
次に、システム管理装置１が、データ値取得用のコマンド（Ｃ）としてコマンド名（ＣN ＝ｃN2）と、コマンドパラメータ（ＣP1＝ｃP12 ）と、コマンドパラメータ（ＣP2＝ｃP21 ）とを保有するコマンド（Ｃ4 ）〔＝（ｃN2：ｃP12 ：ｃP21 ；）〕を、通信路３を経由して擬似装置４に送信したとする。
【０１２１】
擬似装置４においては、コマンド送受信制御部４１が、通信路３から到着するコマンド（Ｃ4 ）を受信すると、コマンド解析作成部４２A に伝達する。
【０１２２】
コマンド解析作成部４２A は、コマンド送受信制御部４１から伝達されたコマンド（Ｃ4 ）を受信・分析し、抽出したコマンド名（ｃN2）と、コマンドパラメータ（ｃP12 ）と、コマンドパラメータ（ｃP21 ）とを、主処理部４３を介してデータベースアクセス制御部４２B に伝達する〔図７、ステップＳ２１〕。
【０１２３】
データベースアクセス制御部４２B は、コマンド解析作成部４２A から伝達されたコマンド名（ｃN2）と、コマンドパラメータ（ｃP12 ）と、コマンドパラメータ（ｃP21 ）とを受信すると、受信コマンドデータベース４４A を参照し、受信したコマンド名（ｃN2）で検索し〔ステップＳ２２〕、コマンド名（ｃN2）の検出に成功すると、コマンド名（ｃN2）を保有する総てのデータ（ｄ44A2）、（ｄ44A3）および（ｄ44A4）を受信コマンドデータベース４４A から抽出した後〔ステップＳ２３〕、図８に示される如きガイドエリアによる検索処理を実行する〔ステップＳ２４〕。
【０１２４】
先ずデータベースアクセス制御部４２B は、受信コマンドデータベース４４A から抽出済の総てのデータ（ｄ44A2）、（ｄ44A3）および（ｄ44A4）の保有するガイドエリア（Ｇ44A ）を、それぞれ抽出する〔図８、ステップＳ３１〕。
【０１２５】
次にデータベースアクセス制御部４２B は、抽出した各ガイドエリア（Ｇ44A ）が、（Ｇ44A ＝Ｐ２）、（Ｇ44A ＝Ｐ１）および（Ｇ44A ＝ＣＣ）の何れであるかを分析し〔ステップＳ３２乃至Ｓ３４〕、データ（ｄ44A2）および（ｄ44A3）から抽出されたガイドエリア（Ｇ44A ）がそれぞれ（Ｐ１）であり〔ステップＳ３３〕、受信コマンド（Ｃ4 ）のコマンド名（ＣN ）およびコマンドパラメータ（ＣP1）は分析する必要があるが、コマンドパラメータ（ＣP2）は分析する必要が無いと認識し、またデータ（ｄ44A4）から抽出されたガイドエリア（Ｇ44A ）が（Ｐ２）であり〔ステップＳ３２〕、受信コマンド（Ｃ2 ）のコマンド名（ＣN ）、コマンドパラメータ（ＣP1）および（ＣP2）を分析する必要があることを認識する。
【０１２６】
かかる場合にデータベースアクセス制御部４２B は、ガイドエリア（Ｇ44A ）に指定の優先処理順位に従い、最初にガイドエリア（Ｇ44A ＝Ｐ２）であるデータ（ｄ44A4）の保有するコマンドパラメータ（ＣP1）を、コマンド解析作成部４２A から受信したコマンドパラメータ（ｃP12 ）で検索した結果、データ（ｄ44A4）の保有するコマンドパラメータ（ＣP1）は（ｃP12 ）である為、コマンドパラメータ（ｃP12 ）の検索に成功すると、次にデータ（ｄ44A4）の保有するコマンドパラメータ（ＣP2）を、コマンド解析作成部４２A から受信したコマンドパラメータ（ｃP21 ）で検索した結果、データ（ｄ44A4）の保有するコマンドパラメータ（ＣP2）は（ｃP21 ）である為、コマンドパラメータ（ｃP21 ）の検索に成功する〔ステップＳ３５およびＳ３６〕。
【０１２７】
かかる場合にデータベースアクセス制御部４２B は、受信コマンドデータベース４４A から抽出済のデータ（ｄ44A4）が、ガイドエリア（Ｇ44A ＝Ｐ２）により指定されるコマンド名（ｃN2）、コマンドパラメータ（ｃP12 ）およびコマンドパラメータ（ｃP21 ）による検索に成功したと認識し、次優先処理順位のガイドエリア（Ｇ44A ＝Ｐ１）を有するデータ（ｄ44A2）および（ｄ44A3）の保有する各コマンドパラメータ（ＣP1）の検索を行うこと無く、ガイドエリアによる検索処理を終了し、図７、ステップＳ２５へ復帰する〔ステップＳ３８〕。
【０１２８】
次にデータベースアクセス制御部４２B は、受信コマンドデータベース４４A から抽出済のデータ（ｄ44A4）の保有する応答コマンド名（ＲN ＝ｒN23 ）を抽出する〔ステップＳ２５〕。
【０１２９】
次にデータベースアクセス制御部４２B は、応答コマンドデータベース４５A を参照し、抽出済の応答コマンド名（ｒN23 ）で検索し〔ステップＳ２６〕、応答コマンド名（ｒN23 ）の検出に成功すると、応答コマンド名（ｒN23 ）を保有するデータ（ｄ45A4）を応答コマンドデータベース４５A から抽出し〔ステップＳ２７〕、続いて抽出したデータ（ｄ45A4）の保有する応答結果（ＲA ＝ＯＫ）と応答コマンドタイマ（ＴR ＝２）とを抽出した後、図８に示される如きガイドエリアによる検索処理を実行する〔ステップＳ２８〕。
【０１３０】
先ずデータベースアクセス制御部４２B は、応答コマンドデータベース４５A から抽出済のデータ（ｄ45A4）の保有するガイドエリア（Ｇ45A ）を抽出する〔図８、ステップＳ３１〕。
【０１３１】
次にデータベースアクセス制御部４２B は、抽出したガイドエリア（Ｇ45A ）が（Ｇ45A ＝Ｐ２）、（Ｇ45A ＝Ｐ１）、（Ｇ45A ＝ＣＣ）、（Ｇ45A ＝ＧＰ）、（Ｇ45A ＝ＧＳ）および（Ｇ45A ＝ＲＲ）の何れであるかを分析し〔ステップＳ３２乃至Ｓ３４、Ｓ４１乃至Ｓ４３〕、今回は、（Ｇ45A ＝Ｐ２）でも、（Ｇ45A ＝Ｐ１）でも、（Ｇ45A ＝ＣＣ）でも無く、また（Ｇ45A ＝ＧＰ）でも無く、（Ｇ45A ＝ＧＳ）であることを認識すると〔ステップＳ４２〕、応答コマンドデータベース４５A から抽出済のデータ（ｄ45A4）の保有する応答コマンドパラメータ（ＲP ）が、装置状態情報データベース４６A に格納されている応答コマンドパラメータ値（ＲPV）を示すパラメータ値名（ＲPN）であると認識し、抽出済のデータ（ｄ45A4）の保有する応答コマンドパラメータ（ＲP ）〔応答コマンドパラメータ（ＲP1）および（ＲP2）〕を、パラメータ値名（ＲPN＝ｒPN2 ）および（ＲPN＝ｒPN3 ）として抽出した後〔ステップＳ４６〕、追加ライブラリデータベース４７の検索処理を行うこと無くガイドエリアによる検索処理を終了し、図７、ステップＳ２Ｄへ復帰する〔ステップＳ４７〕。
【０１３２】
次にデータベースアクセス制御部４２B は、装置状態情報データベース４６A を参照し、データ（ｄ45A4）から抽出済のパラメータ値名（ｒPN2 ）および（ｒPN3 ）で検索し〔図７、ステップＳ２Ｄ〕、パラメータ値名（ｒPN2 ）および（ｒPN3 ）の検出に成功すると、パラメータ値名（ｒPN2 ）を保有するデータ（ｄ46A2）と、パラメータ値名（ｒPN3 ）を保有するデータ（ｄ46A3）とをそれぞれ装置状態情報データベース４６A から抽出した後〔ステップＳ２Ｅ〕、図８に示される如きガイドエリアによる検索処理を実行する〔ステップＳ２Ｆ〕。
【０１３３】
先ずデータベースアクセス制御部４２B は、装置状態情報データベース４６A から抽出済のデータ（ｄ46A2）および（ｄ46A3）の保有するガイドエリア（Ｇ46A ）を、それぞれ抽出する〔図８、ステップＳ３１〕。
【０１３４】
次にデータベースアクセス制御部４２B は、抽出した各ガイドエリア（Ｇ46A ）が、（Ｇ46A ＝Ｐ２）、（Ｇ46A ＝Ｐ１）、（Ｇ46A ＝ＣＣ）、（Ｇ46A ＝ＧＰ）、（Ｇ46A ＝ＧＳ）、（Ｇ46A ＝ＲＲ）、（Ｇ46A ＝ＲＯ）および（Ｇ46A ＝ＲＷ）の何れであるかを分析し〔ステップＳ３２乃至Ｓ３４、Ｓ４１乃至Ｓ４３、Ｓ５１およびＳ５２〕、今回は何れのガイドエリア（Ｇ46A ）も、（Ｇ46A ＝Ｐ２）でも、（Ｇ46A ＝Ｐ１）でも、（Ｇ46A ＝ＣＣ）でも無く、また（Ｇ46A ＝ＧＰ）でも、（Ｇ46A ＝ＧＳ）でも、（Ｇ46A ＝ＲＲ）でも無く、また（Ｇ46A ＝ＲＯ）でも無く、（Ｇ46A ＝ＲＷ）であることを認識すると〔ステップＳ５２〕、データ（ｄ46A2）および（ｄ46A3）の保有する各応答コマンドパラメータ値（ＲPV）に対する設定／変更を許容すると認識した後、追加ライブラリデータベース４７の検索処理を行うこと無くガイドエリアによる検索処理を終了し、図７、ステップＳ２Ｇへ復帰する〔ステップＳ５４〕。
【０１３５】
次にデータベースアクセス制御部４２B は、装置状態情報データベース４６A から抽出済のデータ（ｄ46A2）および（ｄ46A3）の保有する応答コマンドパラメータ値（ＲPV＝１０１０）および（ＲPV＝１０２０）を、パラメータ値名（ｒPN2 ）および（ｒPN3 ）により定まる応答コマンドパラメータ（ＲP1）および（ＲP2）として取得し〔図７、ステップＳ２Ｇ〕、応答コマンドデータベース４５A から抽出済の応答結果（ＲA ＝ＯＫ）と応答コマンドタイマ（ＴR ＝２）と共に、主処理部４３を介してコマンド解析作成部４２A に返送し、応答結果（ＲA ＝ＯＫ）と、応答コマンドパラメータ（ＲP1＝１０１０）と、応答コマンドパラメータ（ＲP2＝１０２０）とを保有する応答コマンド（Ｒ4 ）〔＝（ＲA ：ＲP1：ＲP2；）〕の作成と、応答コマンドタイマ（ＴR ＝２）により定まる時間間隔を置いての返送とを指示する。
【０１３６】
コマンド解析作成部４２A は、データベースアクセス制御部４２B から伝達された応答結果（ＲA ＝ＮＧ）と、応答コマンドパラメータ（ＲP1＝１０１０）と、応答コマンドパラメータ（ＲP2＝１０２０）と、応答コマンドタイマ（ＴR ＝１）と、応答コマンド（Ｒ3 ）〔＝（ＲA ：ＲP1：ＲP2；）〕の作成指示とを受信すると、受信した応答結果（ＲA ＝ＯＫ）と、応答コマンドパラメータ（ＲP1＝１０１０）と、応答コマンドパラメータ（ＲP2＝１０２０）とを用いて指示された応答コマンド（Ｒ4 ）〔＝（ＯＫ：１０１０：１０２０；）〕を作成し、コマンド（Ｃ4 ）を受信した時点から、応答コマンドタイマ（ＴR ＝２）により定まる時間間隔を置いた後、コマンド送受信制御部４１へ返送する〔ステップＳ２Ｉ〕。
【０１３７】
コマンド送受信制御部４１は、コマンド解析作成部４２A から返送された応答コマンド（Ｒ4 ）〔＝（ＯＫ：１０１０：１０２０；）〕を、通信路３を経由してシステム管理装置１へ返送する。
【０１３８】
システム管理装置１は、擬似装置４から返送された応答コマンド（Ｒ4 ）〔＝（ＯＫ：１０１０：１０２０；）〕を受信・分析し、所定の動作完了後、次のアクションに移行する。
【０１３９】
次に、システム管理装置１が、データ値取得用のコマンド（Ｃ）としてコマンド名（ＣN ＝ｃN3）と、コマンドパラメータ（ＣP1＝ｃP13 ）と、コマンドパラメータ（ＣP2＝ｃP22 ）とを保有するコマンド（Ｃ5 ）〔＝（ｃN3：ｃP13 ：ｃP22 ；）〕を、通信路３を経由して擬似装置４に送信したとする。
【０１４０】
擬似装置４においては、コマンド送受信制御部４１が、通信路３から到着するコマンド（Ｃ5 ）を受信すると、コマンド解析作成部４２A に伝達する。
【０１４１】
コマンド解析作成部４２A は、コマンド送受信制御部４１から伝達されたコマンド（Ｃ5 ）を受信・分析し、抽出したコマンド名（ｃN3）と、コマンドパラメータ（ｃP13 ）と、コマンドパラメータ（ｃP22 ）とを、主処理部４３を介してデータベースアクセス制御部４２B に伝達する〔図７、ステップＳ２１〕。
【０１４２】
データベースアクセス制御部４２B は、コマンド解析作成部４２A から伝達されたコマンド名（ｃN3）とコマンドパラメータ（ｃP13 ）と、コマンドパラメータ（ｃP22 ）とを受信すると、受信コマンドデータベース４４A を参照し、受信したコマンド名（ｃN3）で検索し〔ステップＳ２２〕、コマンド名（ｃN3）の検出に成功すると、コマンド名（ｃN3）を保有する総てのデータ〔今回は（ｄ44A5）のみ〕を受信コマンドデータベース４４A から抽出した後〔ステップＳ２３〕、図８に示される如きガイドエリアによる検索処理を実行する〔ステップＳ２４〕。
【０１４３】
先ずデータベースアクセス制御部４２B は、受信コマンドデータベース４４A から抽出済のデータ（ｄ44A5）の保有するガイドエリア（Ｇ44A ）を抽出する〔図８、ステップＳ３１〕。
【０１４４】
次にデータベースアクセス制御部４２B は、抽出したガイドエリア（Ｇ44A ）が、（Ｇ44A ＝Ｐ２）、（Ｇ44A ＝Ｐ１）および（Ｇ44A ＝ＣＣ）の何れであるかを分析し〔ステップＳ３２乃至Ｓ３４〕、データ（ｄ44A5）から抽出されたガイドエリア（Ｇ44A ）が（Ｐ２）では無く（Ｐ１）であり〔ステップＳ３３〕、受信コマンド（Ｃ5 ）のコマンド名（ＣN ）およびコマンドパラメータ（ＣP1）は分析する必要があるが、コマンドパラメータ（ＣP2）は分析する必要が無いと認識する。
【０１４５】
かかる場合にデータベースアクセス制御部４２B は、データ（ｄ44A5）の保有するコマンドパラメータ（ＣP1）を、コマンド解析作成部４２A から受信したコマンドパラメータ（ｃP13 ）で検索した結果、データ（ｄ44A5）の保有するコマンドパラメータ（ＣP1）は（ｃP13 ）である為、コマンドパラメータ（ｃP13 ）の検索に成功すると〔ステップＳ３７〕、コマンドパラメータ（ＣP2）の検索を行うこと無く、受信コマンドデータベース４４A から抽出済のデータ（ｄ44A5）がガイドエリア（Ｇ44A ＝Ｐ１）により指定されるコマンド名（ｃN3）およびコマンドパラメータ（ｃP13 ）による検索に成功したと認識し、ガイドエリアによる検索処理を終了し、図７、ステップＳ２５へ復帰する〔ステップＳ３８〕。
【０１４６】
次にデータベースアクセス制御部４２B は、受信コマンドデータベース４４A から抽出済のデータ（ｄ44A5）の保有する応答コマンド名（ＲN ＝ｒN31 ）を抽出する〔ステップＳ２５〕。
【０１４７】
次にデータベースアクセス制御部４２B は、応答コマンドデータベース４５A を参照し、抽出済の応答コマンド名（ｒN31 ）で検索し〔ステップＳ２６〕、応答コマンド名（ｒN31 ）の検出に成功すると、応答コマンド名（ｒN31 ）を保有するデータ（ｄ45A5）を応答コマンドデータベース４５A から抽出し〔ステップＳ２７〕、続いて抽出したデータ（ｄ45A5）から応答結果（ＲA ＝ＯＫ）と応答コマンドタイマ（ＴR ＝０）とを抽出した後、図８に示される如きガイドエリアによる検索処理を実行する〔ステップＳ２８〕。
【０１４８】
先ずデータベースアクセス制御部４２B は、応答コマンドデータベース４５A から抽出済のデータ（ｄ45A5）の保有するガイドエリア（Ｇ45A ）を抽出する〔図８、ステップＳ３１〕。
【０１４９】
次にデータベースアクセス制御部４２B は、抽出したガイドエリア（Ｇ45A ）が（Ｇ45A ＝Ｐ２）、（Ｇ45A ＝Ｐ１）、（Ｇ45A ＝ＣＣ）、（Ｇ45A ＝ＧＰ）、（Ｇ45A ＝ＧＳ）および（Ｇ45A ＝ＲＲ）の何れであるかを分析し〔ステップＳ３２乃至Ｓ３４、Ｓ４１乃至Ｓ４３〕、今回は、（Ｇ45A ＝Ｐ２）でも、（Ｇ45A ＝Ｐ１）でも、（Ｇ45A ＝ＣＣ）でも無く、また（Ｇ45A ＝ＧＰ）でも、（Ｇ45A ＝ＧＳ）でも無く、（Ｇ45A ＝ＲＲ）であることを認識すると〔ステップＳ４３〕、応答コマンドデータベース４５A から抽出済のデータ（ｄ45A4）の保有する応答コマンドパラメータ（ＲP ）〔応答コマンドパラメータ（ＲP1）のみ〕が、直接応答コマンド（Ｒ5 ）の応答コマンドパラメータ値（ＲPV）であると認識し、データ（ｄ45A4）の保有する応答コマンドパラメータ（ＲP1）〔＝ＲPV＝２０００〕を取得した後〔ステップＳ４８〕、装置状態情報データベース４６A および追加ライブラリデータベース４７の検索処理を行うこと無くガイドエリアによる検索処理を終了し、図７、ステップＳ２Ｈへ復帰する〔ステップＳ４９〕。
【０１５０】
次にデータベースアクセス制御部４２B は、データ（ｄ45A5）から取得した応答コマンドパラメータ（ＲP1）〔＝ＲPV＝２０００〕を、データ（ｄ45A5）から抽出済の応答結果（ＲA ＝ＯＫ）と応答コマンドタイマ（ＴR ＝０）と共に、主処理部４３を介してコマンド解析作成部４２A に返送し、応答結果（ＲA ＝ＯＫ）と、応答コマンドパラメータ（ＲP1＝ＲPV＝２０００）とを保有する応答コマンド（Ｒ5 ）〔＝（ＲA ：ＲP1：；）〕の作成と、応答コマンドタイマ（ＴR ＝０）により定まる時間間隔を置いての返送とを指示する。
【０１５１】
コマンド解析作成部４２A は、データベースアクセス制御部４２B から伝達された応答結果（ＲA ＝ＯＫ）と、応答コマンドパラメータ（ＲP1＝ＲPV＝２０００）と、応答コマンドタイマ（ＴR ＝０）と、応答コマンド（Ｒ5 ）〔＝（ＲA ：ＲP1：；）〕の作成指示とを受信すると、受信した応答結果（ＲA ＝ＯＫ）と、応答コマンドパラメータ（ＲP1＝ＲPV＝２０００）とを用いて指示された応答コマンド（Ｒ5 ）〔＝（ＯＫ：２０００：；）〕を作成し、コマンド（Ｃ5 ）を受信した時点から、応答コマンドタイマ（ＴR ＝０）により定まる時間間隔を置いた後、コマンド送受信制御部４１へ返送する〔ステップＳ２Ｉ〕。
【０１５２】
コマンド送受信制御部４１は、コマンド解析作成部４２A から返送された応答コマンド（Ｒ5 ）〔＝（ＯＫ：２０００：；）〕を、通信路３を経由してシステム管理装置１へ返送する。
【０１５３】
システム管理装置１は、擬似装置４から返送された応答コマンド（Ｒ5 ）〔＝（ＯＫ：２０００：；）〕を受信・分析し、所定の動作完了後、次のアクションに移行する。
【０１５４】
次に、システム管理装置１が、データ値設定／変更用のコマンド（Ｃ）としてコマンド名（ＣN ＝ｃN4）と、コマンドパラメータ（ＣP1＝ｃP14 ＝３０１０）と、コマンドパラメータ（ＣP2＝ｃP23 ＝３０２０）とを保有するコマンド（Ｃ6 ）〔＝（ｃN4：ｃP14 ＝３０１０：ｃP23 ＝３０２０；）〕を、通信路３を経由して擬似装置４に送信したとする。
【０１５５】
擬似装置４においては、コマンド送受信制御部４１が、通信路３から到着するコマンド（Ｃ6 ）を受信すると、コマンド解析作成部４２A に伝達する。
【０１５６】
コマンド解析作成部４２A は、コマンド送受信制御部４１から伝達されたコマンド（Ｃ6 ）を受信・分析し、抽出したコマンド名（ＣN ＝ｃN4）と、コマンドパラメータ（ＣP1＝ｃP14 ＝３０１０）と、コマンドパラメータ（ＣP2＝ｃP23 ＝３０２０）とを、主処理部４３を介してデータベースアクセス制御部４２B に伝達する〔図７、ステップＳ２１〕。
【０１５７】
データベースアクセス制御部４２B は、コマンド解析作成部４２A から伝達されたコマンド名（ｃN4）とコマンドパラメータ（ｃP14 ＝３０１０）と、コマンドパラメータ（ｃP23 ＝３０２０）とを受信すると、受信コマンドデータベース４４A を参照し、受信したコマンド名（ｃN4）で検索し〔ステップＳ２２〕、コマンド名（ｃN4）の検出に成功すると、コマンド名（ｃN4）を保有する総てのデータ〔今回は（ｄ44A6）のみ〕を受信コマンドデータベース４４A から抽出した後〔ステップＳ２３〕、図８に示される如きガイドエリアによる検索処理を実行する〔ステップＳ２４〕。
【０１５８】
先ずデータベースアクセス制御部４２B は、受信コマンドデータベース４４A から抽出済のデータ（ｄ44A6）の保有するガイドエリア（Ｇ44A ）を抽出する〔図８、ステップＳ３１〕。
【０１５９】
次にデータベースアクセス制御部４２B は、抽出したガイドエリア（Ｇ44A ）が、（Ｇ44A ＝Ｐ２）、（Ｇ44A ＝Ｐ１）および（Ｇ44A ＝ＣＣ）の何れであるかを分析し〔ステップＳ３２乃至Ｓ３４〕、抽出されたガイドエリア（Ｇ44A ）が（Ｐ２）であり〔ステップＳ３２〕、受信コマンド（Ｃ6 ）のコマンド名（ＣN ）、コマンドパラメータ（ＣP1）および（ＣP2）を分析する必要があることを認識する。
【０１６０】
かかる場合にデータベースアクセス制御部４２B は、データ（ｄ44A6）の保有するコマンドパラメータ（ＣP1）を、コマンド解析作成部４２A から受信したコマンドパラメータ（ｃP14 ）で検索した結果、データ（ｄ44A6）の保有するコマンドパラメータ（ＣP1）は（ｃP14 ）である為、コマンドパラメータ（ｃP14 ）の検索に成功すると、次にデータ（ｄ44A6）の保有するコマンドパラメータ（ＣP2）を、コマンド解析作成部４２A から受信したコマンドパラメータ（ｃP23 ）で検索した結果、データ（ｄ44A6）の保有するコマンドパラメータ（ＣP2）は（ｃP23 ）である為、コマンドパラメータ（ｃP23 ）の検索に成功すると〔ステップＳ３５およびＳ３６〕、データ（ｄ44A6）がガイドエリア（Ｇ44A ＝Ｐ２）により指定されるコマンド名（ｃN4）、コマンドパラメータ（ｃP14 ）およびコマンドパラメータ（ｃP23 ）による検索に成功したと認識し、ガイドエリアによる検索処理を終了し、図７、ステップＳ２５へ復帰する〔ステップＳ３８〕。
【０１６１】
次にデータベースアクセス制御部４２B は、受信コマンドデータベース４４A から抽出済のデータ（ｄ44A6）の保有する応答コマンド名（ＲN ＝ｒN41 ）を抽出する〔ステップＳ２５〕。
【０１６２】
次にデータベースアクセス制御部４２B は、応答コマンドデータベース４５A を参照し、抽出済の応答コマンド名（ｒN41 ）で検索し〔ステップＳ２６〕、応答コマンド名（ｒN41 ）の検出に成功すると、応答コマンド名（ｒN41 ）を保有するデータ（ｄ45A6）を応答コマンドデータベース４５A から抽出し〔ステップＳ２７〕、続いて抽出したデータ（ｄ45A6）から応答結果（ＲA ＝ＯＫ）と応答コマンドタイマ（ＴR ＝０）とを抽出した後、図８に示される如きガイドエリアによる検索処理を実行する〔ステップＳ２８〕。
【０１６３】
先ずデータベースアクセス制御部４２B は、応答コマンドデータベース４５A から抽出済のデータ（ｄ45A6）の保有するガイドエリア（Ｇ45A ）を抽出する〔図８、ステップＳ３１〕。
【０１６４】
次にデータベースアクセス制御部４２B は、抽出したガイドエリア（Ｇ45A ）が（Ｇ45A ＝Ｐ２）、（Ｇ45A ＝Ｐ１）、（Ｇ45A ＝ＣＣ）、（Ｇ45A ＝ＧＰ）、（Ｇ45A ＝ＧＳ）および（Ｇ45A ＝ＲＲ）の何れであるかを分析し〔ステップＳ３２乃至Ｓ３４、Ｓ４１乃至Ｓ４３〕、今回は、（Ｇ45A ＝Ｐ２）でも、（Ｇ45A ＝Ｐ１）でも、（Ｇ45A ＝ＣＣ）でも無く、また（Ｇ45A ＝ＧＰ）でも無く、（Ｇ45A ＝ＧＳ）であることを認識すると〔ステップＳ４２〕、応答コマンドデータベース４５A から抽出済のデータ（ｄ45A6）の保有する応答コマンドパラメータ（ＲP ）が、装置状態情報データベース４６A に格納されている応答コマンドパラメータ値（ＲPV）を示すパラメータ値名（ＲPN）であると認識し、抽出済のデータ（ｄ45A6）の保有する応答コマンドパラメータ（ＲP ）〔応答コマンドパラメータ（ＲP1）および（ＲP2）〕を、パラメータ値名（ｒPN4 ）および（ｒPN5 ）として抽出した後〔ステップＳ４６〕、追加ライブラリデータベース４７の検索処理を行うこと無くガイドエリアによる検索処理を終了し、図７、ステップＳ２Ｄへ復帰する〔ステップＳ４７〕。
【０１６５】
次にデータベースアクセス制御部４２B は、装置状態情報データベース４６A を参照し、データ（ｄ45A6）から抽出済のパラメータ値名（ｒPN4 ）および（ｒPN5 ）で検索し〔図７、ステップＳ２Ｄ〕、パラメータ値名（ｒPN4 ）および（ｒPN5 ）の検出に成功すると、パラメータ値名（ｒPN4 ）を保有するデータ（ｄ46A4）と、パラメータ値名（ｒPN5 ）を保有するデータ（ｄ46A5）とをそれぞれ装置状態情報データベース４６A から抽出した後〔ステップＳ２Ｅ〕、図８に示される如きガイドエリアによる検索処理を実行する〔ステップＳ２Ｆ〕。
【０１６６】
先ずデータベースアクセス制御部４２B は、装置状態情報データベース４６A から抽出済のデータ（ｄ46A4）および（ｄ46A5）の保有するガイドエリア（Ｇ46A ）を、それぞれ抽出する〔図８、ステップＳ３１〕。
【０１６７】
次にデータベースアクセス制御部４２B は、抽出した各ガイドエリア（Ｇ46A ）が、（Ｇ46A ＝Ｐ２）、（Ｇ46A ＝Ｐ１）、（Ｇ46A ＝ＣＣ）、（Ｇ46A ＝ＧＰ）、（Ｇ46A ＝ＧＳ）、（Ｇ46A ＝ＲＲ）、（Ｇ46A ＝ＲＯ）および（Ｇ46A ＝ＲＷ）の何れであるかを分析し〔ステップＳ３２乃至Ｓ３４、Ｓ４１乃至Ｓ４３、Ｓ５１およびＳ５２〕、今回は、データ（ｄ46A4）から抽出したガイドエリア（Ｇ46A ）は、（Ｇ46A ＝Ｐ２）でも、（Ｇ46A ＝Ｐ１）でも、（Ｇ46A ＝ＣＣ）でも無く、また（Ｇ46A ＝ＧＰ）でも、（Ｇ46A ＝ＧＳ）でも、（Ｇ46A ＝ＲＲ）でも無く、また（Ｇ46A ＝ＲＯ）でも無く、（Ｇ46A ＝ＲＷ）であるが〔ステップＳ５２〕、データ（ｄ46A5）から抽出したガイドエリア（Ｇ46A ）は、（Ｇ46A ＝Ｐ２）でも、（Ｇ46A ＝Ｐ１）でも、（Ｇ46A ＝ＣＣ）でも無く、また（Ｇ46A ＝ＧＰ）でも、（Ｇ46A ＝ＧＳ）でも、（Ｇ46A ＝ＲＲ）でも無く、（Ｇ46A ＝ＲＯ）であることを認識すると〔ステップＳ５１〕、データ（ｄ46A4）の保有する応答コマンドパラメータ値（ＲPV）に対する設定／変更を許容するが、データ（ｄ46A5）の保有する応答コマンドパラメータ値（ＲPV）に対する設定／変更を禁止した後〔ステップＳ５３〕、追加ライブラリデータベース４７の検索処理を行うこと無くガイドエリアによる検索処理を終了し、図７、ステップＳ２Ｇへ復帰する〔ステップＳ５４〕。
【０１６８】
その結果、データベースアクセス制御部４２B は、データ（ｄ46A4）の保有する応答コマンドパラメータ値（ＲPV＝３０００）を、コマンド解析作成部４２A から伝達されたコマンドパラメータ（ＣP1＝ｃP14 ＝３０１０）に設定変更し得るが〔図７、ステップＳ２Ｇ〕、データ（ｄ46A5）に含まれる応答コマンドパラメータ値（ＲPV＝３０００）を、コマンド解析作成部４２A から伝達されたコマンドパラメータ（ＣP2＝ｃP23 ＝３０２０）に設定変更出来ず、現状の応答コマンドパラメータ値（ＲPV＝３０００）を保有する。
【０１６９】
次にデータベースアクセス制御部４２B は、装置状態情報データベース４６A からデータ（ｄ46A4）および（ｄ46A5）を抽出し、各データ（ｄ46A4）および（ｄ46A5）の保有する応答コマンドパラメータ値（ＲPV＝３０１０）および（ＲPV＝３０００）を、パラメータ値名（ｒPN4 ）および（ｒPN5 ）により定まる応答コマンドパラメータ（ＲP1）および（ＲP2）として取得し〔図７、ステップＳ２Ｇ〕、データ（ｄ45A6）から抽出済の応答結果（ＲA ＝ＯＫ）と応答コマンドタイマ（ＴR ＝０）と共に、主処理部４３を介してコマンド解析作成部４２A に返送し、応答結果（ＲA ＝ＯＫ）と、応答コマンドパラメータ（ＲP1＝３０１０）と、応答コマンドパラメータ（ＲP2＝３０００）とを保有する応答コマンド（Ｒ6 ）〔＝（ＲA ：ＲP1：ＲP2；）〕の作成と、応答コマンドタイマ（ＴR ＝０）により定まる時間間隔を置いての返送とを指示する。
【０１７０】
コマンド解析作成部４２A は、データベースアクセス制御部４２B から伝達された応答結果（ＲA ＝ＯＫ）と、応答コマンドパラメータ（ＲP1＝３０１０）と、応答コマンドパラメータ（ＲP2＝３０００）と、応答コマンドタイマ（ＴR ＝０）と、応答コマンド（Ｒ6 ）〔＝（ＲA ：ＲP1：ＲP2；）〕の作成指示とを受信すると、受信した応答結果（ＲA ＝ＯＫ）と、応答コマンドパラメータ（ＲP1＝３０１０）と、応答コマンドパラメータ（ＲP2＝３０００）とを用いて指示された応答コマンド（Ｒ6 ）〔＝（ＯＫ：３０１０：３０００；）〕を作成し、コマンド（Ｃ6 ）を受信した時点から、応答コマンドタイマ（ＴR ＝０）により定まる時間間隔を置いた後、コマンド送受信制御部４１へ返送する〔ステップＳ２Ｉ〕。
【０１７１】
コマンド送受信制御部４１は、コマンド解析作成部４２A から返送された応答コマンド（Ｒ6 ）〔＝（ＯＫ：３０１０：３０００；）〕を、通信路３を経由してシステム管理装置１へ返送する。
【０１７２】
システム管理装置１は、擬似装置４から返送された応答コマンド（Ｒ6 ）〔＝（ＯＫ：３０１０：３０００；）〕を受信・分析し、所定の判定を実行する。
次に、システム管理装置１が、データ取得用のコマンド（Ｃ）としてコマンド名（ＣN ＝ｃN5）と、コマンドパラメータ（ＣP1＝ｃP15 ）と、コマンドパラメータ（ＣP2＝ｃP24 ）とを保有するコマンド（Ｃ7 ）〔＝（ｃN5：ｃP15 ：ｃP24 ；）〕を、通信路３を経由して擬似装置４に送信したとする。
【０１７３】
擬似装置４においては、コマンド送受信制御部４１が、通信路３から到着するコマンド（Ｃ7 ）を受信すると、コマンド解析作成部４２A に伝達する。
【０１７４】
コマンド解析作成部４２A は、コマンド送受信制御部４１から伝達されたコマンド（Ｃ7 ）を受信・分析し、抽出したコマンド名（ｃN5）と、コマンドパラメータ（ｃP15 ）と、コマンドパラメータ（ｃP24 ）とを、主処理部４３を介してデータベースアクセス制御部４２B に伝達する〔図７、ステップＳ２１〕。
【０１７５】
データベースアクセス制御部４２B は、コマンド解析作成部４２A から伝達されたコマンド名（ｃN5）とコマンドパラメータ（ｃP15 ）と、コマンドパラメータ（ｃP24 ）とを受信すると、受信コマンドデータベース４４A を参照し、受信したコマンド名（ｃN5）で検索し〔ステップＳ２２〕、コマンド名（ｃN5）の検出に成功すると、コマンド名（ｃN5）を保有する総てのデータ〔今回は（ｄ44A7）のみ〕を受信コマンドデータベース４４A から抽出した後〔ステップＳ２３〕、図８に示される如きガイドエリアによる検索処理を実行する〔ステップＳ２４〕。
【０１７６】
先ずデータベースアクセス制御部４２B は、受信コマンドデータベース４４A から抽出済のデータ（ｄ44A7）の保有するガイドエリア（Ｇ44A ）を抽出する〔図８、ステップＳ３１〕。
【０１７７】
次にデータベースアクセス制御部４２B は、抽出したガイドエリア（Ｇ44A ）が、（Ｇ44A ＝Ｐ２）、（Ｇ44A ＝Ｐ１）および（Ｇ44A ＝ＣＣ）の何れであるかを分析し〔ステップＳ３２乃至Ｓ３４〕、抽出されたガイドエリア（Ｇ44A ）が（Ｐ２）であり〔ステップＳ３２〕、受信コマンド（Ｃ7 ）のコマンド名（ＣN ）、コマンドパラメータ（ＣP1）および（ＣP2）を分析する必要があることを認識する。
【０１７８】
かかる場合にデータベースアクセス制御部４２B は、データ（ｄ44A7）の保有するコマンドパラメータ（ＣP1）を、コマンド解析作成部４２A から受信したコマンドパラメータ（ｃP15 ）で検索した結果、データ（ｄ44A7）の保有するコマンドパラメータ（ＣP1）は（ｃP15 ）である為、コマンドパラメータ（ｃP15 ）の検索に成功すると、次にデータ（ｄ44A7）の保有するコマンドパラメータ（ＣP2）を、コマンド解析作成部４２A から受信したコマンドパラメータ（ｃP24 ）で検索した結果、データ（ｄ44A7）の保有するコマンドパラメータ（ＣP2）は（ｃP24 ）である為、コマンドパラメータ（ｃP24 ）の検索に成功すると〔ステップＳ３５およびＳ３６〕、受信コマンドデータベース４４A から抽出済のデータ（ｄ44A7）が、ガイドエリア（Ｇ44A ＝Ｐ２）により指定されるコマンド名（ｃN5）、コマンドパラメータ（ｃP15 ）およびコマンドパラメータ（ｃP24 ）による検索に成功したと認識し、ガイドエリアによる検索処理を終了し、図７、ステップＳ２５へ復帰する〔ステップＳ３８〕。
【０１７９】
次にデータベースアクセス制御部４２B は、受信コマンドデータベース４４A から抽出済のデータ（ｄ44A7）の保有する応答コマンド名（ＲN ＝ｒN51 ）を抽出する〔ステップＳ２５〕。
【０１８０】
次にデータベースアクセス制御部４２B は、応答コマンドデータベース４５A を参照し、抽出済の応答コマンド名（ｒN51 ）で検索し〔ステップＳ２６〕、応答コマンド名（ｒN51 ）の検出に成功すると、応答コマンド名（ｒN51 ）を保有するデータ（ｄ45A7）を応答コマンドデータベース４５A から抽出し〔ステップＳ２７〕、続いて抽出したデータ（ｄ45A7）から応答結果（ＲA ＝ＯＫ）と応答コマンドタイマ（ＴR ＝１）とを抽出した後、図８に示される如きガイドエリアによる検索処理を実行する〔ステップＳ２８〕。
【０１８１】
先ずデータベースアクセス制御部４２B は、応答コマンドデータベース４５A から抽出済のデータ（ｄ45A7）からガイドエリア（Ｇ45A ）を抽出する〔図８、ステップＳ３１〕。
【０１８２】
次にデータベースアクセス制御部４２B は、抽出したガイドエリア（Ｇ45A ）が（Ｇ45A ＝Ｐ２）、（Ｇ45A ＝Ｐ１）、（Ｇ45A ＝ＣＣ）、（Ｇ45A ＝ＧＰ）、（Ｇ45A ＝ＧＳ）および（Ｇ45A ＝ＲＲ）の何れであるかを分析し〔ステップＳ３２乃至Ｓ３４、Ｓ４１乃至Ｓ４３〕、今回は、（Ｇ45A ＝Ｐ２）でも、（Ｇ45A ＝Ｐ１）でも、（Ｇ45A ＝ＣＣ）でも無く、（Ｇ45A ＝ＧＰ）であることを認識すると〔ステップＳ４１〕、抽出済のデータ（ｄ45A7）の保有する応答コマンドパラメータ（ＲP ）が、追加ライブラリデータベース４７に格納されているパラメータ値生成プログラム名（ＲPP）および追加ライブラリ名（Ｌ）を検索するプログラム／ライブラリ索引名（ＲPPL ）であると認識し、応答コマンドデータベース４５A から抽出済のデータ（ｄ45A7）の保有する応答コマンドパラメータ（ＲP ）〔応答コマンドパラメータ（ＲP1）および（ＲP2）〕を、プログラム／ライブラリ索引名（ＲPPL ＝ｒPPL1）および（ＲPPL ＝ｒPPL2）として抽出した後〔ステップＳ４４〕、装置状態情報データベース４６A の検索処理を行うこと無くガイドエリアによる検索処理を終了し、図７、ステップＳ２９へ復帰する〔ステップＳ４６〕。
【０１８３】
次にデータベースアクセス制御部４２B は、追加ライブラリデータベース４７を参照し、データ（ｄ45A7）から抽出済のプログラム／ライブラリ索引名（ｒPPL1）および（ｒPPL2）で検索し〔図７、ステップＳ２９〕、プログラム／ライブラリ索引名（ｒPPL1）および（ｒPPL2）の検出に成功すると、先ずプログラム／ライブラリ索引名（ｒPPL ＝ｒPPL1）に対応して格納済のパラメータ値生成プログラム名（ＲPP＝ｒPP1 ）と追加ライブラリ名（Ｌ）とを抽出した後〔ステップＳ２Ａ〕、追加ライブラリ名（Ｌ）を有するライブラリを参照し、パラメータ値生成プログラム名（ｒPP1 ）を有するプログラムを抽出して実行し〔ステップＳ２ＢおよびＳ２Ｃ〕、得られた実行結果〔例えば実行結果＝４０１０〕を、応答コマンドパラメータ（ＲP1）の応答コマンドパラメータ値（ＲPV1 ）として取得し、次にプログラム／ライブラリ索引名（ＲPPL ＝ｒPPL2）に対応して格納済のパラメータ値生成プログラム名（ＲPP＝ｒPP2 ）と追加ライブラリ名（Ｌ）とを抽出した後〔ステップＳ２Ａ〕、追加ライブラリ名（Ｌ）を有するライブラリを参照し、パラメータ値生成プログラム名（ｒPP2 ）を有するプログラムを抽出して実行し〔ステップＳ２ＢおよびＳ２Ｃ〕、得られた実行結果〔例えば実行結果＝４０２０〕を、応答コマンドパラメータ（ＲP2）の応答コマンドパラメータ値（ＲPV2 ）として取得する。
【０１８４】
次にデータベースアクセス制御部４２B は、追加ライブラリデータベース４７から取得した応答コマンドパラメータ（ＲP1＝ＲPV1 ＝４０１０）および（ＲP2＝ＲPV2 ＝４０２０）を、データ（ｄ45A7）から抽出済の応答結果（ＲA ＝ＯＫ）と応答コマンドタイマ（ＴR ＝１）と共に、主処理部４３を介してコマンド解析作成部４２A に返送し、応答結果（ＲA ＝ＯＫ）と、応答コマンドパラメータ（ＲP1＝ＲPV1 ＝４０１０）と、応答コマンドパラメータ（ＲP2＝ＲPV2 ＝４０２０）とを含む応答コマンド（Ｒ7 ）〔＝（ＲA ：ＲP1：ＲP2；）〕の作成と、応答コマンドタイマ（ＴR ＝１）により定まる時間間隔を置いての返送とを指示する。
【０１８５】
コマンド解析作成部４２A は、データベースアクセス制御部４２B から伝達された応答結果（ＲA ＝ＯＫ）と、応答コマンドパラメータ（ＲP1＝ＲPV1 ＝４０１０）と、応答コマンドパラメータ（ＲP2＝ＲPV2 ＝４０２０）と、応答コマンドタイマ（ＴR ＝１）と、応答コマンド（Ｒ7 ）〔＝（ＲA ：ＲP1：ＲP2；）〕の作成指示とを受信すると、受信した応答結果（ＲA ＝ＯＫ）と、応答コマンドパラメータ（ＲP1＝ＲPV1 ＝４０１０）と、応答コマンドパラメータ（ＲP2＝ＲPV2 ＝４０２０）とを用いて指示された応答コマンド（Ｒ7 ）〔＝（ＯＫ：４０１０：４０２０；）〕を作成し、コマンド（Ｃ7 ）を受信した時点から、応答コマンドタイマ（ＴR ＝１）により定まる時間間隔を置いた後、コマンド送受信制御部４１へ返送する〔ステップＳ２Ｉ〕。
【０１８６】
コマンド送受信制御部４１は、コマンド解析作成部４２A から返送された応答コマンド（Ｒ7 ）〔＝（ＯＫ：４０１０：４０２０；）〕を、通信路３を経由してシステム管理装置１へ返送する。
【０１８７】
システム管理装置１は、擬似装置４から返送された応答コマンド（Ｒ7 ）〔＝（ＯＫ：４０１０：４０２０；）〕を受信・分析し、所定の動作完了後、次のアクションに移行する。
【０１８８】
以上の説明から明らかな如く、本発明の実施形態によれば、従来ある擬似装置４内に設けられていたコマンド解析／作成・データ更新制御部４２を、コマンド解析作成部４２A およびデータベースアクセス制御部４２B に分離し、データベースアクセス制御部４２B に、図７に示される如き擬似処理と、図８に示される如きガイドエリア検索処理とを実行する機能を設け、また受信コマンドデータベース４４A 、応答コマンドデータベース４５A および装置状態情報データベース４６A にそれぞれガイドエリア（Ｇ44A ）、（Ｇ45A ）および（Ｇ46A ）を追加することにより、コマンド（Ｃ1 ）乃至（Ｃ7 ）を受信した場合に、受信コマンドデータベース４４A の検索範囲を指定し、また受信したコマンド（Ｃ1 ）乃至（Ｃ7 ）に対する応答コマンド（Ｒ1 ）乃至（Ｒ7 ）を作成する際に、応答コマンドデータベース４５A 、装置状態情報データベース４６A および追加ライブラリデータベース４７の参照範囲、および応答コマンドパラメータ値（ＲPV）の変更、設定の可否等を指定することが可能となり、コマンドパラメータ（ＣP ）或いは応答コマンドパラメータ（ＲP ）が増加しても、必要最小範囲の擬似処理に限定可能となり、またコマンドパラメータ（ＣP ）或いは応答コマンドパラメータ（ＲP ）の設定に融通性を付与することも可能となる。
【０１８９】
なお、図２乃至図９はあく迄本発明の一実施形態に過ぎず、例えば本発明の対象とする擬似装置１００は、図示される擬似装置４に限定されることは無く、他に幾多の変形が考慮されるが、何れの場合にも本発明の効果は変わらない。また本発明の対象とする伝送システムは、図示されるものに限定されぬことは言う迄も無い。
【０１９０】
【発明の効果】
以上、本発明によれば、前記伝送システムにおいて、受信コマンドが保有するパラメータの、データベースを検索する際の利用範囲を指定し、また応答コマンドを作成する際のデータの操作範囲を指定することにより、受信パラメータ、応答パラメータ数が増加しても、従来と変わらぬ性能を維持可能とすると共に、追加データの発生時も柔軟に対応可能となり、更にデータベース制御部のデバッグを実行する際も容易に対応可能となり、当該擬似装置の経済性、信頼性およひ操作性を大幅に向上することが可能となる。
【図面の簡単な説明】
【図１】  本発明の原理図
【図２】  本発明の実施形態による擬似装置
【図３】  図２における受信コマンドデータベース
【図４】  図２における応答コマンドデータベース
【図５】  図２における装置状態情報データベース
【図６】  図２における追加ライブラリデータベース
【図７】  図２における擬似処理
【図８】  図７におけるガイドエリア検索処理
【図９】  本発明の対象となる伝送システム
【図１０】  従来ある擬似装置
【図１１】  図１０における受信コマンドデータベース
【図１２】  図１０における応答コマンドデータベース
【図１３】  図１０における装置状態情報データベース
【図１４】  図１０における追加ライブラリデータベース
【図１５】  図１０における擬似処理
【符号の説明】
１  システム管理装置
２  伝送装置
３  通信路
４、１００  擬似装置
４１  コマンド送受信制御部
４２  コマンド解析／作成・データ更新制御部
４２A   コマンド解析作成部
４２B   データベースアクセス制御部
４３  主処理部
４４、４４A   受信コマンドデータベース
４５、４５A   応答コマンドデータベース
４６、４６A   装置状態情報データベース
４７  追加ライブラリデータベース
１０１  受信データ対応情報設定手段
１０２  受信データ分析範囲制御手段
１０３  応答データ対応情報設定手段
１０４  応答制御手段
【図１】
0003747663.tif 000002
【図２】
0003747663.tif 000003
【図３】
0003747663.tif 000004
【図４】
0003747663.tif 000005
【図５】
0003747663.tif 000006
【図６】
0003747663.tif 000007
【図７】
0003747663.tif 000008
【図８】
0003747663.tif 000009
【図９】
0003747663.tif 000010
【図１０】
0003747663.tif 000011
【図１１】
0003747663.tif 000012
【図１２】
0003747663.tif 000013
【図１３】
0003747663.tif 000014
【図１４】
0003747663.tif 000015
【図１５】
0003747663.tif 000016